(57)【特許請求の範囲】
【請求項１】
少なくとも２つのカメラモジュールユニットを備え、
前記２つのカメラモジュールユニットはそれぞれ第一カメラモジュールユニット及び第二カメラモジュールユニットであり、
前記第一カメラモジュールユニットは少なくとも１つの第一感光組立体と、少なくとも１つの第一レンズ群とを備え、
前記第一レンズ群は前記第一感光組立体の感光経路に位置し、前記第一感光組立体は接続部を備え、
前記接続部は少なくとも一部が前記第一感光組立体から遠ざかる方向へ延在して高度差を形成し、
前記第一カメラモジュールユニットは、第一ベースを備え、前記第一ベースは、第一ベース本体と、前記第一ベース本体から一体的に成形される延在部とを備え、
前記延在部は前記接続部を形成し、前記第二カメラモジュールユニットは前記延在部の支持面に支持、固定されていることを特徴とするアレイカメラモジュール。
【請求項２】
前記第一感光組立体は、第一回路基板と、第一感光素子と、前記第一ベースとを備え、前記第一ベースは前記第一ベース本体と前記延在部とを備え、前記第一ベース本体は前記第一回路基板に一体的に成形され前記第一感光素子に光線通路を提供する第一光窓を形成し、前記延在部は少なくとも一部が前記第一ベース本体から外方へ一体的に延在して前記接続部を形成し、前記延在部の天井面と前記第一回路基板の底面との間に前記高度差を形成し、前記第一感光素子は前記第一回路基板に電気的に接続されていることを特徴とする請求項１に記載のアレイカメラモジュール。
【請求項３】
前記延在部は前記支持面を有し、前記支持面は前記第一カメラモジュールユニットから遠ざかる方向へ平坦に延在し、前記第二カメラモジュールユニットは第二感光組立体と、第二レンズ群とを備え、前記第二レンズ群は前記第二感光組立体の感光経路に位置し、前記第二感光組立体は前記支持面に支持、固定されていることを特徴とする請求項2に記載のアレイカメラモジュール。
【請求項４】
前記第二感光組立体は前記支持面に貼り付け、固定されていることを特徴とする請求項3に記載のアレイカメラモジュール。
【請求項５】
前記第二感光組立体は第二回路基板と、第二感光素子と、第二ベースとを備え、前記第二感光素子は前記第二回路基板に電気的に接続され、前記第二ベースは前記第二回路基板に一体的に成形され前記第二感光素子に光線通路を提供する第二光窓を形成し、前記第二回路基板は前記延在部の前記支持面に支持、固定されており、前記第二回路基板の底面と前記第一回路基板の底面との間に前記高度差が形成されていることを特徴とする請求項3に記載のアレイカメラモジュール。
【請求項６】
前記第一感光素子は前記第一回路基板に貼り付けられ、前記第一ベースは前記第一感光素子の外周に位置していることを特徴とする請求項２から５の何れか１項に記載のアレイカメラモジュール。
【請求項７】
前記第一感光素子は前記第一回路基板に貼り付けられ、前記第一ベースは前記第一感光素子の少なくとも一部に一体的に成形されていることを特徴とする請求項２から５の何れか１項に記載のアレイカメラモジュール。
【請求項８】
前記第一感光素子は少なくとも１つの第一電気接続素子を介して前記第一回路基板に電気的に接続され、前記第一ベースは前記第一電気接続素子を被覆していることを特徴とする請求項７に記載のアレイカメラモジュール。
【請求項９】
前記第二感光素子は前記第二回路基板に貼り付けられ、前記第二ベースは前記第二感光素子の外周に位置していることを特徴とする請求項５に記載のアレイカメラモジュール。
【請求項１０】
前記第二感光素子は前記第二回路基板に貼り付けられ、前記第二ベースは前記第二感光素子の少なくとも一部に一体的に成形されていることを特徴とする請求項５に記載のアレイカメラモジュール。
【請求項１１】
前記第二回路基板は沈下孔を有し、前記第二感光素子は前記沈下孔に設けられていることを特徴とする請求項５に記載のアレイカメラモジュール。
【発明の詳細な説明】
【技術分野】
【０００１】
本発明はカメラモジュールの分野に関し、特に高度差のあるアレイカメラモジュール、回路基板組立体及びその製造方法並びに電子デバイスに関するものである。
【背景技術】
【０００２】
スマートデバイスの発展に伴い、カメラモジュールへの要求も益々高くなる。例えば、この２年以来、スマートフォンのカメラはシングルからデュアルカメラに変わり、デュアルカメラモジュールの発展も携帯電話のカメラモジュールの発展の重要な傾向の１つとなる。
【０００３】
簡単に言えば、デュアルカメラは２つのカメラの協動により画像を収集することで、より豊富な画像収集機能を実現することができる。従来のデュアルカメラは機能により、主に２種類に分けられ、１種類は、デュアルカメラで立体視を生成させて映像の被写界深さを取得し、被写界深さ情報により背景ボケ、３Ｄスキャン、補助フォーカス、動作識別などの応用を実現するか、又は、２枚のピクチャの情報により融合するものであり、他の１種類は、左右２枚の異なるピクチャを融合することで、より高い解像度、よりよい色彩、動的範囲などがよりよい画質を取得する又は光学ズーム機能を実現することを図るものである。
【０００４】
しかし、どの機能のデュアルカメラでも、ハードウェアのサポートが必要であり、１つの最も基本的な問題、即ち、２つのカメラ間の組立、固定の問題を考慮しなければならない。２つのカメラをどのように安定して構造がコンパクトになるように組み立てて、１つの全体的なモジュールにするかは、デュアルカメラモジュールの考慮すべき基本的な問題である。
【０００５】
更に、デュアルカメラを構成する２つのカメラは一般的に類型の異なる２つのカメラであり、例えば、１つは画像の形成に用いられ、１つは被写界深さの記録に用いられる。一般的に、このような異なる機能要求により２つのカメラの体積の大きさ、例えば高さが異なり、このような２つの高さの異なるカメラをどのように安定して結合して１つの全体にするかは、デュアルカメラモジュールの発展中に直面すべき他の１つの重要な問題である。
【０００６】
更に、２つの協動すべきカメラが同一のターゲットに対して相対的に正確に情報を収集すると、その光線入射面の位置を一致させ、人の目のように相対的に一致する光線入射面に位置させる必要があり、こうしてこそより正確の情報を獲得することができる。しかし、高度差があり、大きさが異なる２つのカメラについては、２つのカメラの外端面を一致させるようにハードウェアを特別に設計して２つのカメラの協動の要求を満たす必要がある。
【０００７】
一方、カメラは電子デバイス、例えば、スマートフォンに取り付けられている場合、外部を平坦に保持して２つのカメラの外観見栄えを良好にする必要があるので、２つのカメラの外端面の高さを一致させることも要求される。
更に、２つの互いに協動するカメラはそれぞれ画像情報を収集し、画像の収集の正確性及び画像形成品質は２つのカメラの入射光線と密に関連し合い、２つのカメラの間の光軸の一致性はカメラモジュールの画像形成品質を確保する基礎となる。つまり、どのようにして２つのカメラを安定して構造がコンパクトになるように固定したうえで、２つのカメラモジュールの光軸の一致性を向上する又はその誤差を所定の範囲内に抑えることにより、取付精度を向上して比較的よい画像形成品質を持つかは、デュアルカメラ発展中に考慮すべき他の１つの重要な問題である。
【０００８】
更に、上記２種類のデュアルカメラ機能はカメラのハードウェアに対して異なる要求があり、前者は２つのカメラの間により大きなピッチを有することが要求され、このようにするとより、高い被写界深さ精度を得ることができるので、前者のハードウェアは２つのカメラの間の距離が比較的遠いのが望ましく、後者は２つのカメラからのピクチャを重ね合わせて合成する必要があるので、ハードウェアを設計するときに２つのカメラが比較的近いのが望ましく、このようにすると、２つの画像を融合するときに差異によりより多くのエラーが発生するのを避けることができる。つまり、２つのカメラの間の距離の制御は機能の異なるカメラを実現するための考慮すべき要素の１つである。
【発明の概要】
【０００９】
本発明は、外端面の平坦度が高く、２つのカメラモジュールユニットの光学的な協動の要求を満たす少なくとも２つの高さの異なるカメラモジュールユニットを備える高度差のあるアレイカメラモジュール、回路基板組立体及びその製造方法並びに電子デバイスを提供することを目的の１つとする。
【００１０】
本発明は、外端面が一致し、取り付けられた電子デバイスの表面平坦性の要求に適する高度差のあるアレイカメラモジュール、回路基板組立体及びその製造方法並びに電子デバイスを提供することを目的の１つとする。
【００１１】
本発明は、アレイモジュールの底側に位置することで前記アレイカメラモジュールの底側に高度差が存在し、該カメラモジュール自体及び他の電子デバイスにより多くの取付空間を提供することが可能な高度差空間を有する高度差のあるアレイカメラモジュール、回路基板組立体及びその製造方法並びに電子デバイスを提供することを目的の１つとする。
【００１２】
本発明は、少なくとも２つのカメラモジュールユニットを安定して高度差を有するよう接続することで外部部材により高度差を補充する必要がない第一ベースを備える高度差のあるアレイカメラモジュール、回路基板組立体及びその製造方法並びに電子デバイスを提供することを目的の１つとする。
【００１３】
本発明は、少なくとも２つの前記カメラモジュールユニットは機能の異なるカメラモジュールである高度差のあるアレイカメラモジュール、回路基板組立体及びその製造方法並びに電子デバイスを提供することを目的の１つとする。
【００１４】
本発明は、前記第一ベースは第一ベース本体と延在部とを備え、前記第一ベース本体は第一回路基板に固定され、前記延在部は前記第一ベース本体から一体的に延在して第二回路基板に支持、固定する位置を提供することで２つのカメラモジュールユニットを固定、接続する高度差のあるカメラモジュール及びその製造方法を提供することを目的の１つとする。
【００１５】
本発明は、前記第一ベースを一次成形の方式にて製造し、良好な表面平坦性を有することで取付部材の組立精度を向上する高度差のあるアレイカメラモジュール、回路基板組立体及びその製造方法並びに電子デバイスを提供することを目的の１つとする。
【００１６】
本発明は、２つのカメラモジュールユニットの光軸を一致させるように前記第一ベースは第二カメラモジュールユニットに平坦な取付平面を提供する高度差のあるアレイカメラモジュール、回路基板組立体及びその製造方法並びに電子デバイスを提供することを目的の１つとする。
【００１７】
本発明は、高度差のあるアレイカメラモジュール、回路基板組立体及びその製造方法並びに電子デバイスを提供することを目的の１つとし、一実施例では、前記第二回路基板は前記第一ベースの前記延在部に貼り付けられることで前記延在部は前記第二回路基板に平坦な貼付条件を提供する。
【００１８】
本発明は、高度差のあるアレイカメラモジュール、回路基板組立体及びその製造方法並びに電子デバイスを提供することを目的の１つとし、一実施例では、前記第二回路基板は前記第一ベース内に嵌められることで、前記第二カメラモジュールユニットの高さを低くすると共に、前記第二回路基板の取付過程を少なくする。
【００１９】
本発明は、前記第一ベースは前記カメラモジュールユニットの感光素子に光線通路を提供する第一光窓を形成する高度差のあるアレイカメラモジュール、回路基板組立体及びその製造方法並びに電子デバイスを提供することを目的の１つとする。
【００２０】
本発明は、前記アレイカメラモジュールは少なくとも１つの台座を備え、前記台座はフィルタ素子を取り付けるように前記ベースに取り付けられる高度差のあるアレイカメラモジュール、回路基板組立体及びその製造方法並びに電子デバイスを提供することを目的の１つとする。
【００２１】
本発明は、高度差のあるアレイカメラモジュール、回路基板組立体及びその製造方法並びに電子デバイスを提供することを目的の１つとし、一実施例では、前記台座は、前記台座により前記フィルタ素子を直接支持して取り付けるように、前記第二回路基板に直接取り付けられている。
【００２２】
本発明は、前記アレイカメラモジュールは少なくとも１つの補充台座を備え、前記補充台座は前記第一ベースと協動して感光素子に光線通路を提供する光窓を形成する高度差のあるアレイカメラモジュール、回路基板組立体及びその製造方法並びに電子デバイスを提供することを目的の１つとする。
【００２３】
本発明は、前記回路基板は回路基板本体と少なくとも１つの電子素子とを備え、前記第一ベースは前記電子素子を被覆することで前記電子素子の占用空間を小さくして前記アレイカメラモジュールをよりコンパクトにする高度差のあるアレイカメラモジュール、回路基板組立体及びその製造方法並びに電子デバイスを提供することを目的の１つとする。
【００２４】
以上の少なくとも１つの発明の目的を実現するために、本発明の一方面は、少なくとも２つのカメラモジュールユニットを備え、前記２つのアレイカメラユニットは外端の高さが一致し、底部間に高度差を形成するアレイカメラモジュールを提供する。
【００２５】
一実施例に記載のアレイカメラモジュールによれば、２つの前記アレイカメラモジュールユニットはそれぞれ第一カメラモジュールユニット及び第二カメラモジュールユニットであり、前記第一カメラモジュールユニットは少なくとも１つの第一感光組立体と少なくとも１つのレンズ群とを備え、前記レンズ群は前記第一感光組立体の感光経路に位置し、前記第一感光組立体は延在部を備え、前記延在部は少なくとも一部が前記感光組立体から遠ざかる方向へ延在し、前記第二カメラモジュールユニットは前記延在部に固定、接続されていることで前記第一カメラモジュールユニット及び前記第二カメラモジュールユニットの端部を一致させて固定、接続する。
【００２６】
一実施例に記載のアレイカメラモジュールによれば、前記第一感光組立体は第一回路基板と第一ベースとを備え、前記第一ベースはベース本体を備え、前記ベース本体は前記第一回路基板に一体的に成形され、前記延在部は少なくとも一部が前記ベースから一体的に外方へ延在し、前記延在部と前記第一回路基板との間に高度差を有する。
【００２７】
一実施例に記載のアレイカメラモジュールによれば、前記第一感光組立体は第一感光素子を備え、前記第一ベース本体は第一光窓を形成し、前記第一感光素子は感光するように前記第一光窓内に設けられている。
【００２８】
一実施例に記載のアレイカメラモジュールによれば、前記第二カメラモジュールユニットは第二回路基板と、第二感光素子と、第一レンズ群とを備え、前記第二感光素子は前記第二回路基板に電気的に接続され、前記第二回路基板は前記延在部に設けられ、前記レンズ群は前記第二感光素子の感光経路に位置している。
一実施例に記載のアレイカメラモジュールによれば、前記第二回路基板は前記延在部に貼り付けられる。
一実施例に記載のアレイカメラモジュールによれば、前記第二回路基板は前記延在部に埋設される。
【００２９】
一実施例に記載のアレイカメラモジュールによれば、前記第二回路基板は沈下孔を有し、前記第二回路基板は前記沈下孔に設けられると共に、前記延在部により支持される。
【００３０】
一実施例に記載のアレイカメラモジュールによれば、前記第二カメラモジュールユニットは第二ベースを備え、前記第二ベースは前記第二回路基板に一体的に成形されている。
一実施例に記載のアレイカメラモジュールによれば、前記第二ベースは前記第一ベースに一体的に接続されている。
【００３１】
本発明の一方面は、少なくとも２つのカメラモジュールユニットを備え、前記２つのカメラモジュールユニットの底部間に高度差を形成するアレイカメラモジュールを提供する。
【００３２】
一実施例によれば、前記２つのカメラモジュールユニットはそれぞれ第一カメラモジュールユニット及び第二カメラモジュールユニットであり、前記第一カメラモジュールユニットは少なくとも１つの第一感光組立体と、少なくとも１つの第一レンズ群とを備え、前記第一レンズ群は前記第一感光組立体の感光経路に位置し、前記第一感光組立体は少なくとも１つの延在部を備え、前記延在部は少なくとも一部が前記第一感光組立体から遠ざかる方向へ延在し、前記第二カメラモジュールユニットは前記第二延在部に固定、接続されている。
【００３３】
一実施例によれば、前記第一感光組立体は、第一回路基板と、第一感光素子と、第一ベースとを備え、前記第一ベースは第一ベース本体と前記延在部とを備え、前記第一ベース本体は前記第一回路基板に一体的に成形され前記第一感光素子に光線通路を提供する第一光窓を形成し、前記延在部は少なくとも一部が前記第一ベース本体から外方へ一体的に延在し、前記延在部は前記第一回路基板との間に前記高度差を形成し、前記第一感光素子は前記第一回路基板に電気的に接続されている。
【００３４】
一実施例によれば、前記延在部は支持面を有し、前記支持面は前記第一カメラモジュールユニットから遠ざかる方向へ延在し、前記第二カメラモジュールは第二感光組立体と、第二レンズ群とを備え、前記第二レンズ群は前記第二感光組立体の感光経路に位置し、前記第二感光組立体は前記第二支持面に支持、固定されている。
一実施例によれば、前記第二感光組立体は前記支持面に貼り付け、固定されている。
【００３５】
一実施例によれば、前記第二感光組立体は第二回路基板と、第二感光素子と、第二ベースとを備え、前記第二感光素子は前記第二回路基板に電気的に接続され、前記第二ベースは前記第二回路基板に一体的に成形され前記第二感光素子に光線通路を提供する第二光窓を形成し、前記第二回路基板は前記延在部の前記第二支持面に支持、固定されている。
【００３６】
一実施例によれば、前記２つのカメラモジュールユニットはそれぞれ第一カメラモジュールユニット及び第二カメラモジュールユニットであり、前記第一カメラモジュールユニットは少なくとも１つの第一感光組立体と、少なくとも１つの第一レンズ群とを備え、前記第一レンズ群は前記第一感光組立体の感光経路に位置し、前記第一感光組立体は少なくとも１つの支持板を備え、前記支持板は前記第一感光組立体から遠ざかる方向へ延在し、前記第二カメラモジュールユニットは前記支持板に固定、接続されている。
【００３７】
一実施例によれば、前記第一感光組立体は第一回路基板と、第一感光素子と、第一ベースとを備え、前記第一感光素子は前記回路基板に電気的に接続され、前記第一ベースは前記第一回路基板に一体的に成形されて前記第一感光素子に光線通路を提供する光窓を形成し、前記支持板は前記第一ベースに固定されている。
一実施例によれば、前記支持板は貫通孔を有し、前記貫通孔は前記感光素子に光線通路を提供するように前記第一光窓に連通している。
【００３８】
一実施例によれば、前記第二感光組立体は第二回路基板と、第二感光素子と、第二ベースとを備え、前記第二感光素子は前記第二回路基板に電気的に接続され、前記第二ベースは前記第二回路基板に一体的に成形され第二光窓を形成し、前記第二回路基板は前記支持板の天井面に支持、固定されている。
一実施例によれば、前記第一ベースは第一取付溝を有し、前記取付溝は取付位置を提供するように前記第一光窓に連通している。
一実施例によれば、前記第一カメラモジュールユニットは第一台座を備え、前記第一台座は取付位置を提供するように前記第一取付溝に取り付けられている。
一実施例によれば、前記第二ベースは第二取付溝を有し、前記第二取付溝は取付位置を提供するように前記第二光窓に連通している。
一実施例によれば、前記第二カメラモジュールユニットは第二台座を備え、前記第二台座は取付位置を提供するように前記第二取付溝に取り付けられている。
一実施例によれば、前記第一感光素子は前記第一回路基板に貼り付けられ、前記第一ベースは前記第一感光素子の外周に位置している。
一実施例によれば、前記第一感光素子は前記第一回路基板に貼り付けられ、前記第一ベースは前記第一感光素子の少なくとも一部に一体的に成形されている。
【００３９】
一実施例によれば、前記第一感光素子は少なくとも１つの第一電気接続素子を介して前記第一回路基板に電気的に接続され、前記第一ベースは前記第一電気接続素子を被覆している。
一実施例によれば、前記第二感光素子は前記第二回路基板に貼り付けられ、前記第二ベースは前記第二感光素子の外周に位置している。
一実施例によれば、前記第二感光素子は前記第二回路基板に貼り付けられ、前記第二ベースは前記第二感光素子の少なくとも一部に一体的に成形されている。
【００４０】
一実施例によれば、前記第二感光素子は少なくとも１つの第二電気接続素子を介して前記第二回路基板に電気的に接続され、前記第二ベースは前記第二電気接続素子を被覆している。
【００４１】
一実施例によれば、前記第一回路基板は第一回路基板本体と、少なくとも１つの第一電子素子とを備え、前記第一電子素子は前記第一回路基板本体に電気的に接続され、前記第一ベースは前記第一回路基板本体に一体的に成形され、前記第一電子素子を被覆している。
【００４２】
一実施例によれば、前記第二回路基板は第二回路基板本体と、少なくとも１つの第二電子素子とを備え、前記第二電子素子は前記第二回路基板本体に電気的に接続され、前記第二ベースは前記第二回路基板本体に一体的に成形され、前記第二電子素子を被覆している。
一実施例によれば、前記第二回路基板は沈下孔を有し、前記第二感光素子は前記沈下孔に設けられている。
一実施例によれば、前記沈下孔は前記第二回路基板の両側に連通することで、前記感光素子は前記第二延在部に直接に設けられている。
一実施例によれば、前記第二回路基板は沈下孔を有し、前記第二感光素子は前記沈下孔に設けられている。
一実施例によれば、前記沈下孔は前記第二回路基板の両側に連通することで、前記感光素子は前記支持板に直接に設けられている。
【００４３】
一実施例によれば、前記第二感光組立体は第二回路基板と、第二感光素子と、第二台座とを備え、前記第二感光素子は前記第二回路基板に電気的に接続され、前記第二台座は前記第二回路基板に取り付けられ、前記第二回路基板は前記延在部の前記第二支持面に支持、固定されている。
【００４４】
一実施例によれば、前記第二台座は光透過孔と、退避空間とを有し、前記光透過孔は前記第二感光素子に光線通路を提供し、前記退避空間は前記第二感光素子を避けるように前記光透過孔に連通している。
【００４５】
一実施例によれば、前記第一カメラモジュールユニットは第一補充ベースを備え、前記第一ベースは第一切欠きを有し、前記補充ベースは前記第一ベースの前記第一切欠きに補充されて閉じた前記第一光窓を形成した。
【００４６】
一実施例によれば、前記第二カメラモジュールユニットは第二補充ベースを備え、前記第二ベースは第二切欠きを有し、前記補充ベースは前記第二ベースの前記第二切欠きに補充されて閉じた前記第二光窓を形成した。
一実施例によれば、前記第一ベースは金型により前記第一ベースを形成するときに前記金型を支持するための第一支持素子を備える。
一実施例によれば、前記第一支持素子は接着剤塗布層又はゴムパッドである。
一実施例によれば、前記第二ベースは金型により前記第二ベースを形成するときに前記金型を支持するための第二支持素子を備える。
一実施例によれば、前記第二支持素子は接着剤塗布層又はゴムパッドである。
一実施例によれば、前記第一ベース本体の側壁は傾斜角を有する。
一実施例によれば、前記第二ベースの側壁は傾斜角を有する。
【００４７】
一実施例によれば、前記第一カメラモジュールユニットは第一フィルタ素子を備え、前記第一フィルタ素子は前記第一ベースに一体的に成形して固定されている。
【００４８】
一実施例によれば、前記第二カメラモジュールユニットは第二フィルタ素子を備え、前記第二フィルタ素子は前記第二ベースに一体的に成形して固定されている。
【００４９】
一実施例によれば、前記第一カメラモジュールユニットは支持素子と、少なくとも１つのレンズとを備え、前記レンズは前記支持素子に支持され、前記レンズは前記第一ベースに一体的に成形して固定されている。
【００５０】
一実施例によれば、前記第二カメラモジュールユニットは支持素子と、少なくとも１つのレンズとを備え、前記レンズは前記支持素子に支持され、前記レンズは前記第二ベースに一体的に成形して固定されている。
一実施例によれば、一体成形の方式はモールディング、プレスから選択される１種類である。
一実施例によれば、前記第一カメラモジュールユニットは第一フィルタ素子を備え、前記第一フィルタ素子は前記第一取付溝に取り付けられている。
一実施例によれば、前記第二カメラモジュールユニットは第二フィルタ素子を備え、前記第二フィルタ素子は前記第二取付溝に取り付けられている。
【００５１】
一実施例によれば、前記第一カメラモジュールユニットは第一レンズ群支持素子を備え、前記第一レンズ群は前記第一レンズ群支持素子に取り付けられ、前記第一レンズ群支持素子は少なくとも一部が前記第一ベースに取り付けられている。
【００５２】
一実施例によれば、前記第一レンズ群支持素子は鏡ホルダー素子であることで、前記第一カメラモジュールユニットはフィックスフォーカスカメラモジュールを構成する。
一実施例によれば、前記第一レンズ群支持素子は駆動素子であることで、前記第一カメラモジュールユニットはオートフォーカスカメラモジュールを構成する。
【００５３】
一実施例によれば、前記第二カメラモジュールユニットは第二レンズ群支持素子を備え、前記第二レンズ群は前記第二レンズ群支持素子に取り付けられ、前記第二レンズ群支持素子は少なくとも一部が前記第二ベースに取り付けられている。
【００５４】
一実施例によれば、前記第二レンズ群支持素子は鏡ホルダー素子であることで、前記第二カメラモジュールユニットはフィックスフォーカスカメラモジュールを構成する。
一実施例によれば、前記第二レンズ群支持素子は駆動素子であることで、前記第二カメラモジュールユニットはオートフォーカスカメラモジュールを構成する。
【００５５】
本発明の別の一方面は、第一回路基板と、第二回路基板と、前記第一回路基板に一体的に成形され第一感光素子に光線通路を提供する第一光窓を形成するベース本体と、少なくとも一部が前記ベース本体から一体的に外方へ延在して前記第一回路基板との間に高度差を形成し、前記第二回路基板が設けられた延在部と、を備える第一ベースと、を備えるアレイカメラモジュール回路基板組立体を提供する。
【００５６】
一実施例によれば、前記回路基板組立体は第二台座と、感光素子とを備え、前記第二台座と前記第二感光素子とは前記第二回路基板に取り付けられ、前記第二台座は光透過孔と、退避空間とを有し、前記光透過孔は前記第二感光素子に光線通路を提供し、前記退避空間は前記第二感光素子を避けるように前記光透過孔に連通している。
本発明の別の一方面は
第一回路基板と、
第二回路基板と、
前記第一回路基板に一体的に成形され第一感光素子に光線通路を提供する第一光窓を形成する第一ベースと、
前記第一ベースに固定され、前記第一ベースから遠ざかる方向へ延在して前記第一回路基板との間に高度差を形成し、前記第二回路基板が設けられた支持板と、
を備えるアレイカメラモジュール回路基板組立体を提供する。
本発明の別の一方面は、
第一回路基板と、
第二回路基板と、
【００５７】
前記第一回路基板に一体的に成形され第一感光素子に光線通路を提供する第一光窓を形成するベース本体と、底面を前記第一回路基板の底面に一致させるように少なくとも一部が前記ベース本体から一体的に外方へ延在し、天井面に前記第二回路基板が設けられた延在部とを、備える第一ベースと、を備えることを特徴とするアレイカメラモジュール回路基板組立体を提供する。
本発明の別の一方面は、
前記アレイカメラモジュールと、
【００５８】
電子デバイス本体とを備え、前記アレイカメラモジュールは、前記アレイカメラモジュールの画像情報を取得するように前記電子デバイス本体に設けられていることを特徴とする電子デバイス提供する。
【００５９】
本発明の別の一方面はスマートフォン、ウェアラブルデバイス、タブレット、ノートパソコン、電子ブック、携帯情報端末、カメラ、モニターから選択される一種類である前記電子デバイス本体を提供する。
本発明の一方面は、
第一回路基板と、
第二回路基板と、
【００６０】
前記第一回路基板に一体的に成形され第一光窓を形成する第一ベース本体と、少なくとも一部が前記第一ベース本体から前記第一ベース本体から遠ざかる方向へ延在して前記第一回路基板の底面との間に高度差を形成し、前記第二回路基板が一体的に成形して固定される延在部と、を備える第一ベースと、を備えるアレイカメラモジュール用の回路基板組立体を提供する。
一実施例によれば、前記第二回路基板は少なくとも１つの第二電気接続域を有し、前記第二電気接続域は前記延在部の表面に露出している。
【００６１】
一実施例によれば、前記回路基板組立体は第二感光素子を備え、前記第二感光素子は前記延在部に支持されると共に前記第二回路基板の前記第二電気接続域に電気的に接続されている。
【００６２】
一実施例によれば、前記回路基板組立体は第二感光素子を備え、前記第二感光素子は前記第二回路基板に貼り付けられると共に前記第二回路基板の前記第二電気接続域に電気的に接続されている。
【００６３】
一実施例によれば、前記第二回路基板は、４つの前記第二電気接続域を有し、前記４つの第二電気接続域は第二感光素子にそれぞれ電気的に接続されるように対向する両側にそれぞれ設けられている。
一実施例によれば、前記回路基板組立体は接続板を備え、前記接続板は前記第一回路基板と前記第二回路基板とを電気的に接続している。
【００６４】
一実施例によれば、前記第一ベースは第一レンズ群又は第一レンズ群支持素子を取り付けるように、少なくとも一部が前記ベース本体から上方へ延在して第一位置規制溝を形成する延在取付部を備える。
【００６５】
一実施例によれば、前記回路基板組立体は第二ベースを備え、前記第二ベースは第二ベース本体を備えると共に第二光窓を有し、前記第二ベース本体は前記第一ベースに一体的に成形して接続されると共に第二感光素子に光線通路を提供するための前記第二光窓を形成している。
【００６６】
一実施例によれば、前記第二ベースは第二延在取付部を備え、前記延在取付部は、第二レンズ群又は第二レンズ群支持素子を取り付けるように、少なくとも一部が前記第二ベース本体から上方へ延在して第二位置規制溝を形成している。
【００６７】
一実施例によれば、前記回路基板組立体は第一補充ベースを備え、前記第一ベースの前記第一ベース本体は第一切欠きを備え、前記第一補充ベースは前記第一光窓を閉じるように前記第一切欠きに位置規制、補充されている。
【００６８】
一実施例によれば、前記回路基板組立体は第二補充ベースを備え、前記第二ベースの前記第二ベース本体は第二切欠きを備え、前記第二補充ベースは前記第二光窓を閉じるように前記第二切欠きに位置規制、補充されている。
【００６９】
一実施例によれば、前記回路基板組立体は第二ベースを備え、前記第二ベースは前記第二回路基板に一体的に成形されており、前記第二ベースは前記第一ベースに一体的に接続されている。
一実施例によれば、前記第一ベースは第一取付溝を備え、前記取付溝は取付位置を提供するように前記第一光窓に連通している。
一実施例によれば、前記回路基板組立体は第一台座を備え、前記第一台座は取付位置を提供するように前記第一取付溝に取り付けられている。
一実施例によれば、前記第二ベースは第二取付溝を備え、前記第二取付溝は取付位置を提供するように前記第二光窓に連通している。
一実施例によれば、前記回路基板組立体は第二台座を備え、前記第二台座は取付位置を提供するように前記第二取付溝に取り付けられている。
【００７０】
一実施例によれば、前記回路基板組立体は第一感光素子を備え、前記第一感光素子は前記第一回路基板に貼り付けられ、前記第一ベースは前記第一感光素子の外周に位置している。
【００７１】
一実施例によれば、前記回路基板組立体は第一感光素子を備え、前記第一感光素子は前記第一回路基板に貼り付けられ、前記第一ベースは前記第一感光素子の少なくとも一部に一体的に成形されている。
【００７２】
一実施例によれば、前記第一感光素子は少なくとも１つの第一電気接続素子を介して前記第一回路基板に電気的に接続され、前記第一ベースは前記第一電気接続素子を被覆している。
一実施例によれば、前記第二ベースは前記第二感光素子の外周に位置している。
一実施例によれば、前記第二ベースは前記第二感光素子の少なくとも一部に一体的に成形されている。
【００７３】
一実施例によれば、前記第二感光素子は少なくとも１つの第二電気接続素子を介して前記第二回路基板に電気的に接続され、前記第二ベースは前記第二電気接続素子を被覆している。
【００７４】
一実施例によれば、前記第一回路基板は第一回路基板本体と、少なくとも１つの第一電子素子とを備え、前記第一電子素子は前記第一回路基板本体に電気的に接続され、前記第一ベースは前記第一回路基板本体に一体的に成形され、前記第一電子素子を被覆している。
【００７５】
一実施例によれば、前記第二回路基板は第二回路基板本体と、少なくとも１つの第二電子素子とを備え、前記第二電子素子は前記第二回路基板本体に電気的に接続され、前記第二ベースは前記第二回路基板本体に一体的に成形され、前記第二電子素子を被覆している。
一実施例によれば、前記第二回路基板は沈下孔を有し、前記第二感光素子は前記沈下孔に設けられている。
一実施例によれば、前記第一ベースは金型により前記第一ベースを形成するときに前記金型を支持するための第一支持素子を備える。
一実施例によれば、前記第一支持素子は接着剤塗布層又はゴムパッドであり、前記第一ベースの一部と前記第一回路基板との間に設けられている。
一実施例によれば、前記第二ベースは金型により前記第二ベースを形成するときに前記金型を支持するための第二支持素子を備える。
一実施例によれば、前記第二支持素子は接着剤塗布層又はゴムパッドであり、前記第二ベースの一部と前記第二回路基板との間に設けられている。
一実施例によれば、前記第一ベース本体の側壁は傾斜角を有する。
一実施例によれば、前記第二ベースの側壁は傾斜角を有する。
一実施例によれば、前記回路基板組立体は第一フィルタ素子を備え、前記第一フィルタ素子は前記第一ベースに一体的に成形して固定されている。
一実施例によれば、前記回路基板組立体は第二フィルタ素子を備え、前記第二フィルタ素子は前記第二ベースに一体的に成形して固定されている。
【００７６】
一実施例によれば、前記回路基板組立体は支持素子と、少なくとも１つのレンズとを備え、前記レンズは前記支持素子に支持され、前記レンズは前記第一ベースに一体的に成形して固定されている。
【００７７】
一実施例によれば、前記回路基板組立体は支持素子と、少なくとも１つのレンズとを備え、前記レンズは前記支持素子に支持され、前記レンズは前記第二ベースに一体的に成形して固定されている。
一実施例によれば、前記一体成形の方式はモールディング、プレスから選択される１種類である。
本発明の別の一方面は、
第一回路基板と、
第二回路基板と、
【００７８】
前記第一回路基板に一体的に成形され第一感光素子に光線通路を提供する第一光窓を形成するベース本体と、底面を前記第一回路基板の底面に一致させるように少なくとも一部が前記ベース本体から一体的に外方へ延在し、前記第二回路基板に一体的に成形された延在部と、を備える第一ベースと、を備えるアレイカメラモジュール回路基板組立体を提供する。
本発明の別の一方面は、
第一回路基板と、
第二回路基板と、
前記第一回路基板に一体的に成形され第一光窓を形成する第一ベースと、
【００７９】
前記第二回路基板に一体的に成形され第二光窓を形成し、前記第一回路基板と前記第二回路基板の底部との間に高度差を有するように前記第一ベースに一体的に接続された第二ベースと、を備えるアレイ回路基板組立体を提供する。
一実施例によれば、前記第一ベースは第一フィルタ素子の取付に適する第一取付溝を有する。
一実施例によれば、前記第二ベースは第二フィルタ素子の取付に適する第二取付溝を有する。
【００８０】
一実施例によれば、前記回路基板組立体は、第一台座と、第二台座とを備え、前記第一台座は前記第二台座に一体的に接続され、前記第一台座及び前記第二台座はそれぞれ、取付位置を提供するように前記第一ベース及び前記第二ベースに取り付けられている。
【００８１】
一実施例によれば、前記回路基板組立体は第一補充ベースを備え、前記第一ベースの前記第一ベース本体は第一切欠きを有し、前記第一補充ベースは前記第一光窓を閉じるように前記第一切欠きに位置規制、補充されている。
【００８２】
一実施例によれば、前記回路基板組立体は第二補充ベースを備え、前記第二ベースの前記第二ベース本体は第二切欠きを備え、前記第二補充ベースは前記第二光窓を閉じるように前記第二切欠きに位置規制、補充されている。
一実施例によれば、前記一体成形の方式はモールディング、プレスから選択される１種類である。
本発明の別の一方面は、
前記回路基板組立体と、
少なくとも２つのレンズ群と、
を備え、
【００８３】
２つの前記レンズ群は２つのカメラモジュールユニットのそれぞれを構成すると共に、２つの前記カメラモジュールユニットの先端部の高さが一致するように前記第一回路基板及び前記第二回路基板における対応する位置にそれぞれ設けられている
アレイカメラモジュールを提供する。
一実施例によれば、前記アレイカメラモジュールは、２つの前記カメラモジュールユニットにそれぞれ設けられた２つのフィルタ素子を備える。
一実施例によれば、前記アレイカメラモジュールは２つのレンズ群支持素子を備え、２つの前記レンズ群がそれぞれレンズ群支持素子に取り付けられている。
【００８４】
一実施例によれば、少なくとも１つの前記レンズ群支持素子は鏡ホルダー素子であることで、対応する前記カメラモジュールユニットはフィックスフォーカスカメラモジュールを構成する。
【００８５】
一実施例によれば、少なくとも１つの前記レンズ群支持素子は駆動素子であることで、対応する前記カメラモジュールユニットはオートフォーカスカメラモジュールを構成する。
【図面の簡単な説明】
【００８６】
【図１】本発明の第一好ましい実施例によるアレイカメラモジュールの模式図である。
【図２】本発明の第一好ましい実施例によるアレイ回路基板組立体の模式図である。
【図３】本発明の第一好ましい実施例によるアレイ回路基板組立体の形成過程の模式図である。
【図４】本発明の第二好ましい実施例によるアレイカメラモジュールの模式図である。
【図５】本発明の第二好ましい実施例によるアレイカメラモジュールの部分平面図である。
【図６】本発明の第二好ましい実施例によるアレイカメラモジュールの１つの変形実施の形態の模式図である。
【図７】本発明の第三好ましい実施例によるアレイカメラモジュールの模式図である。
【図８Ａ】本発明の第四好ましい実施例によるアレイカメラモジュールの模式図である。
【図８Ｂ】本発明の第四好ましい実施例によるアレイカメラモジュールの変形実施の形態の模式図である。
【図８Ｃ】本発明の第四好ましい実施例によるアレイカメラモジュールの他の変形実施の形態の模式図である。
【図９】本発明の第五好ましい実施例によるアレイカメラモジュールの模式図である。
【図１０】本発明の第六好ましい実施例によるアレイカメラモジュールの模式図である。
【図１１Ａ】本発明の第七好ましい実施例によるアレイカメラモジュールの模式図である。
【図１１Ｂ】本発明の第七好ましい実施例によるアレイカメラモジュールの1つの変形実施の形態の模式図である。
【図１２】本発明の第八好ましい実施例によるアレイカメラモジュールの模式図である。
【図１３】本発明の第九好ましい実施例によるアレイカメラモジュールの模式図である。
【図１４】本発明の第十好ましい実施例によるアレイカメラモジュールの模式図である。
【図１５】本発明の第十一好ましい実施例によるアレイカメラモジュールの模式図である。
【図１６】本発明の第十二好ましい実施例によるアレイカメラモジュールの模式図である。
【図１７】本発明の第十三好ましい実施例によるアレイカメラモジュールの模式図である。
【図１８Ａ】本発明の第十四好ましい実施例によるアレイカメラモジュールの模式図である。
【図１８Ｂ】本発明の第十四好ましい実施例によるアレイカメラモジュールの変形実施の形態の模式図である。
【図１９】本発明の第十四好ましい実施例によるアレイ回路基板組立体の模式図である。
【図２０】本発明の第十四好ましい実施例によるアレイ回路基板組立体の形成過程の模式図である。
【図２１】本発明の第十五好ましい実施例によるアレイカメラモジュールの模式図である。
【図２２】本発明の第十五好ましい実施例によるアレイカメラモジュールの１つの変形実施の形態の模式図である。
【図２３】本発明の第十六好ましい実施例によるアレイカメラモジュールの模式図である。
【図２４】本発明の第十七好ましい実施例によるアレイカメラモジュールの模式図である。
【図２５】本発明の第十八好ましい実施例によるアレイカメラモジュールの模式図である。
【図２６】本発明の第十九好ましい実施例によるアレイカメラモジュールの模式図である。
【図２７】本発明の第二十好ましい実施例によるアレイカメラモジュールの模式図である。
【図２８】本発明の第二十一好ましい実施例によるアレイカメラモジュールの模式図である。
【図２９】本発明の第二十二好ましい実施例によるアレイカメラモジュールの模式図である。
【図３０】本発明の第二十三好ましい実施例によるアレイカメラモジュールの模式図である。
【図３１】本発明の第二十四好ましい実施例によるアレイカメラモジュールの模式図である。
【図３２】本発明の第二十五好ましい実施例によるアレイカメラモジュールの模式図である。
【図３３】本発明の第二十六好ましい実施例によるアレイカメラモジュールの模式図である。
【図３４】本発明の上記実施例によるアレイカメラモジュールの斜視模式図であり、２種類の外部接続方式を説明するためのものである。
【図３５】本発明の上記好ましい実施例によるアレイカメラモジュール製造方法のブロック図である。
【図３６】本発明の上記好ましい実施例によるアレイカメラモジュールの応用模式図である。
【具体的な実施の形態】
【００８７】
以下の記載は、当業者に本発明を実現可能にするために本発明を開示するものである。以下に記載の好ましい実施例は、あくまでも例示であって、その他の変形例が当業者にとって明らかである。以下の記載で規定される本発明の一般的原理は、他の実施形態、変形形態、改良形態、同等形態及び本発明の主旨及び範囲を逸脱しない他の技術案に適用することができる。
【００８８】
当業者は理解すべきことは、本発明の開示において、専門用語「縦方向」、「横方向」、「上」、「下」、「前」、「後」、「左」、「右」、「鉛直」、「水平」、「頂」、「底」、「内」、「外」等で示す方位又は位置関係は、添付図面に基づいて示す方位又は位置関係であり、あくまでも本発明の説明を分かりやすく簡単にするためのものであって、該装置又は素子が必ず特定の方位を有し、特定の方位で構造・操作されることを示す又は示唆するものではないので、上記用語について、本発明を限定するものと理解されるべきではない。
【００８９】
マルチカメラカメラモジュールはカメラモジュールの最近の発展の重要な傾向の１つであり、複数のカメラモジュールが協動することでより多くの機能を実現することができ、理論的には、マルチカメラのアレイはシングルカメラのカメラモジュールに対して多くの面でシングルレンズ群のカメラモジュールよりも優れた機能を取得するすることができるが、これら機能を実現するにはハードウェアのサポートが必要であり、従って、従来のマルチカメラモジュールが理論段階に留まっていることが多い。本発明の実施例によれば、少なくとも２つのカメラモジュールユニットを備えるアレイカメラモジュール１００を提供し、各前記カメラモジュールユニットは互いに協動して画像の収集を実現し、それは各前記カメラモジュールユニットを安定して組み合わせると共に外端面を一致させるように保持することで、各前記カメラモジュールユニットの光線入射面の高さを一致させ、各前記カメラモジュールユニットをよりよく互いに協動させて画像を収集し、かつ情報の収集をより正確にする。更に、前記アレイカメラモジュール１００は高度差が形成された高度差空間を前記アレイカメラモジュール１００の底側に予め置くことで、前記アレイカメラモジュール１００が電子デバイスに取り付けられた場合、前記電子デバイスの部材が前記高度差空間に収納され、内部空間が十分に利用されると共に、前記電子デバイスの外部を平坦に保持することができる。更に、本発明の好ましい実施例によれば、複数の前記アレイカメラモジュール１００の間に少なくとも１つのベースを一体成形の方式にて形成し、前記ベースにより複数のカメラモジュールユニットに共通の組立位置を提供することで、各前記カメラモジュールユニットをコンパクトにし、安定して互いに固定すると共に、各カメラモジュールユニットの間の一致性を比較的よく保持する。一体成形の方式は比較的よい表面平坦性を有し、他の部材に平坦な取付条件を提供することで、各部材の取付精度を向上し、更に各前記カメラモジュールユニットの間の光軸の一致性を確保する。
【００９０】
説明の都合上、以下は２つのカメラモジュールユニットで構成するデュアルアレイカメラモジュール１００を例にして説明する。本発明の他の実施例では、前記アレイカメラモジュール１００はより多くの前記カメラモジュールユニットを備えてもよく、本発明はその面に制限されない。
【００９１】
図１〜図３は本発明の第一好ましい実施例によるアレイカメラモジュール１００を示し、前記アレイカメラモジュール１００は少なくとも２つのカメラモジュールユニットを備え、２つの前記カメラモジュールユニットは外端面が一致し、底部間に高度差Ｈを有し、高度差空間１１０を形成している。
【００９２】
具体的には、２つの前記カメラモジュールユニットはそれぞれ第一カメラモジュールユニット１０及び第二カメラモジュールユニット２０である。前記第一カメラモジュールユニット１０は第一回路基板１１と、第一感光素子１３と、少なくとも１つの第一レンズ群１４とを備える。前記第二カメラモジュールユニット２０は第二回路基板２１と、第二感光素子２３と、少なくとも１つの第二レンズ群２４とを備える。
【００９３】
前記第一感光素子１３は前記第一回路基板１１に感光情報を送信するように前記第一回路基板１１に電気的に接続され、前記第一レンズ群１４は前記第一感光素子１３が光線を受光して感光するように前記第一感光素子１３の感光経路に位置している。前記第二感光素子２３は前記第二回路基板２１に感光情報を送信ように前記第二回路基板２１に電気的に接続され、前記第二レンズ群２４は前記第二感光素子２３が光線を受光して感光するように前記第二感光素子２３の感光経路に位置している。特に、ある実施の形態では、前記第一感光素子１３及び前記第二感光素子２３は表面貼り付けプロセスＳＭＴ(Ｓｕｒｆａｃｅ  Ｍｏｕｎｔ  Ｔｅｃｈｎｏｌｏｇｙ)にてそれぞれ前記第一回路基板１１及び前記第二回路基板２１に設けられると共に、それぞれが少なくとも１つの第一電気接続素子１３３及び１つの第二電気接続素子２３３により前記第一回路基板１１及び前記第二回路基板２１に電気的に接続されてることができる。前記第一電気接続素子１３３及び前記第二電気接続素子２３３として、例えば金線、銀線、銅線、アルミ線、ボンディングバッド、ピン等が挙げられるが、これらに限定されるものではない。
【００９４】
更に、前記第一カメラモジュールユニット１０は第一ベース１２を備え、前記第一ベース１２は前記第一回路基板１１に固定、接続されている。前記第一ベース１２は第一ベース本体１２３と延在部１２４とを備え、前記第一ベース本体１２３は前記第一回路基板１１に固定、接続され、前記延在部１２４は、前記第二カメラモジュールユニット２０に取付位置を提供するように、少なくとも一部が前記ベース本体から外方へ延在する。前記第二回路基板２１は前記第一ベース１２の前記延在部１２４に固定、接続されることで、前記第一ベース１２により前記第一カメラモジュールユニット１０と前記第二カメラモジュールユニット２０とを安定して接続している。
【００９５】
言い換えれば、前記第一カメラモジュールユニット１０の前記延在部２０は前記第二カメラモジュールユニット２０に支持、固定位置を提供する接続部を形成することで、前記第一カメラモジュールユニット１０と前記第二カメラモジュールユニット２０とを安定して接続し固定し、前記アレイカメラモジュールを形成している。
【００９６】
より具体的には、本発明によれば、前記第一ベース１２は一体成形の方式、例えばモールディング成形の方式にて前記第一回路基板１１に設けられることで、前記第一ベース１２と前記第一回路基板１１とを安定して固定すると共に、余分な取付、固定過程を少なくする。例えば、接着剤による接着過程を少なくして、接続をより安定にし、接着剤による接続高さ分を省き、カメラモジュールユニットの高さを下げる。前記一体成形の方式はモールディング成形、例えば、トランスファーモールディングの方式でもよく、プレス成形の方式でもよい。
【００９７】
例として、前記第一ベース１２は、従来のＣＯＢ(Ｃｈｉｐ  Ｏｎ  Ｂｏａｒｄ)方式と区別するように、金型によるモールディング一体成形の方式、例えば、回路基板にモールディングする方式にて前記第一回路基板１１に設けられることができる。金型による一体成形の方式にて、成形形状及び表面平坦度をよりよく制御することができ、例えば、前記延在部１２４に比較的よい平坦度を持たせることで、前記第二カメラモジュールユニット２０に平坦な取付条件を提供すると共に、金型による一体成形の方式にて、前記延在部１２４と前記第一回路基板１１とに良好な平行度を持たせることで、前記第一カメラモジュールユニット１０及び前記第二カメラモジュールユニット２０の光軸の一致性を確保するのに寄与することができる。ところで、前記光軸が一致するということは、２つのカメラモジュールユニットの中心光軸方向が平行すること、又は両中心光軸間の夾角が所定の誤差範囲内にあることで、画像形成の品質を予め定めた要求に合致させることをいい、本発明はその面に制限されない。
【００９８】
本発明のこの実施例では、前記第一ベース１２は前記第一感光素子１３の外周に位置し、前記第二ベース２２は前記第二感光素子２３の外周に位置している。更に、前記第一ベース１２は前記第一電気接続素子１３３の外周に位置し、前記第二ベース２２は前記電気接続素子２３３の外周に位置している。
【００９９】
より具体的には、前記延在部１２４は支持面１２４１を有し、前記支持面１２４１は前記第一カメラモジュールユニット１０から遠ざかる方向へ延在することで、前記第二カメラモジュールユニット２０を前記第一カメラモジュールユニット１０に隣接して配列する。前記カメラモジュールユニットの光軸方向を高さ方向とし、前記延在部１２４の高さを前記第一回路基板１１よりも高くすることで、前記第一ベース１２と第一回路基板１１との間に前記高度差空間１１０を形成している。つまり、前記延在部１２４と前記第一回路基板１１との間に高度差が存在することで、前記延在部１２４に取り付けられた前記第二カメラモジュールユニット２０と前記第一カメラモジュールユニット１０との間に高度差を存在させる。これより見えるように、前記延在部１２４と前記第一回路基板１１との高度差にて前記第一カメラモジュールユニット１０と前記第二カメラモジュールユニット２０との間に存在している高度差を補償することで、２つの高さの異なるカメラモジュールユニットを安定して組み立てると共に、外端面を一致させるように保持して前記第一カメラモジュールユニット１０と前記第二カメラモジュールユニット２０とを光線入射方向が一致するように並列に設置すると共に光線入射面を一致させ、これにより、前記第一カメラモジュールユニット１０と前記第二カメラモジュールユニット２０とが互いに協動して画像情報を収集するときに、より正確な情報を取得することができる。
【０１００】
前記第二回路基板２１は、前記延在部１２４により前記第二カメラモジュールユニット２０に平坦な取付条件を提供するように前記延在部１２４に支持、固定されている。より具体的には、前記第二回路基板２１は貼り付け方式、例えば、接着剤による固定の方式にて、前記延在部１２４の支持面１２４１に固定され、前記第一回路基板１１の底面と前記第二回路基板２１の底面との間に前記高度差Ｈを形成することで、２つの離間、独立した回路基板を高度差を有するように固定して組み立ててアレイカメラモジュールを構成することができる。
【０１０１】
更に、前記高度差空間１１０は前記アレイカメラモジュール１００の底部に位置し、前記アレイカメラモジュール１００単体は電子デバイスに取り付けられたときに、前記高度差空間は前記電子デバイスの内部に位置することで、前記電子デバイスの外部を相対的に平坦になるように保持しており、前記電子デバイスの部材は前記高度差空間１１０に設けられることができ、これにより、前記電子デバイスの内部空間を十分に利用し、前記電子デバイスの軽薄化の発展に更に寄与する。
【０１０２】
ところで、本発明の図面では、高度差Ｈは前記第一カメラモジュールユニット１０と前記第二カメラモジュールユニット２０との間に高度差が存在することを模式的に説明するためのものだけであり、前記第一カメラモジュールユニット１０と前記第二カメラモジュールユニット２０との間の高度差の大きさを限定するものではなく、前記第二カメラモジュールユニット１０と前記第二カメラモジュールユニット２０との間の高さの大きさが異なると、前記第一カメラモジュールユニット１０及び前記第二カメラモジュールユニット２０の各部材の相対位置関係もそれに応じて変化する。例えば、前記第一カメラモジュールユニット１０及び前記第二カメラモジュールユニット２０の高さの差が比較的小さいと、前記第一ベース本体１２３の天井面を上方へ延在させ、前記第二ベース本体２２３が成形されるときに、前記第一ベース本体２２３に一体的に接続されてもよい。
【０１０３】
更に、前記延在部１２４の支持面１２４１を金型による一体成形の方式にて形成することで、比較的よい平坦性を確保すると共に、金型により前記延在部１２４及び前記第一回路基板１１の方向を一致させるように制御することができ、例えば、前記延在部１２４の方向を前記第一回路基板１１の方向に平行することで、前記第一回路基板１１及び前記第二回路基板２１の方向を一致させて前記第一カメラモジュールユニット１０と前記第二カメラモジュールユニット２０とに一致の取付基礎を提供し、前記第一カメラモジュールユニット１０と前記第二カメラモジュールユニット２０との光軸を一致させる。
【０１０４】
本発明の他のある実施の形態では、前記第一ベース１２は射出成形の方式にて形成されてもよく、例えば、射出成形の方式にて、前記第一ベース本体１２３と前記延在部１２４とを有する前記第一ベース１２を形成し、その後に、前記第一ベース１２を前記第一回路基板１１に接着して固定し、更に、前記第二回路基板２１を前記第一ベース１２の前記延在部１２４に取り付けることで、外端部がほぼ一致する共に、高度差を有するように前記第一カメラモジュールユニット１０と前記第二カメラモジュールユニット２０とを組み立てる。
【０１０５】
更に、本発明のこの実施例によれば、前記第一回路基板１１は第一回路基板本体１１１と少なくとも１つの第一電子素子１１２とを備え、前記第一電子素子１１２は前記第一回路基板本体１１１よりも突出し、前記第一回路基板本体１１１の作動と協動するためのものである。前記第一ベース１２は前記第一回路基板本体１１１に一体的に成形すると共に、前記第一電子素子１１２を被覆することで、前記第一電子素子１１２の占用空間を低減する。前記第一電子素子１１２として抵抗器、コンデンサ、ドライバ等が挙げられるが、これらに限定されるものではない。勿論、本発明の他の一実施例では、前記第一電子素子１１２を設けなくてもよいし、前記第一電子素子１１２を前記第一回路基板本体１１１よりも突出させ、例えば、前記第一回路基板本体１１１に埋め込んでもよく、本発明はその面に制限されない。
【０１０６】
各前記第一電子素子１１２は、例えば、ＳＭＴプロセスにて互いに間隔を空けて前記第一回路基板１１の辺縁域、例えば、前記第一感光素子１３の外側に貼り付けられることができる。ところで、各前記第一電子素子１１２はそれぞれ前記第一回路基板１１における同じ側又は反対側に位置することができ、例えば、１つの具体的な例では、前記第一感光素子１３及び各前記第一電子素子はそれぞれ前記第一回路基板１１における同じ側に位置すると共に、前記第一感光素子１３は前記第一回路基板１１のチップ貼付域に貼り付けられ、各前記第一電子素子１１２はそれぞれ互いに間隔を空けて前記第一回路基板１１の辺縁域に貼り付けられることができる。前記第一ベース１２は成形した後に各前記第一電子素子１１２を被覆することで、前記第一ベース１２により隣り合う前記第一電子素子１１２を離隔すると共に前記第一電子素子１１２と前記第一感光素子１３とを離隔する。
【０１０７】
本発明の前記カメラモジュールでは、前記第一ベース１２が成形した後に各前記第一電子素子１１２を被覆する方式は多くの利点があり、まず、前記第一ベース１２は前記第一電子素子１１２を被覆することで、隣り合う前記第一電子素子１１２間に互いに干渉する不具合が発生せず、隣り合う前記第一電子素子１１２の距離が比較的近くても、前記カメラモジュールユニットの画像形成品質を確保することができ、このようにして、面積の小さい前記第一回路基板１１により多い前記第一電子素子１１２を貼り付けることができることで、前記カメラモジュールユニットの構造をよりコンパクトにし、前記カメラモジュールユニットの寸法を制御するのに寄与したうえで、前記カメラモジュールユニットの画像形成品質を向上する。次に、前記第一ベース１２は各前記第一電子素子１１２を被覆することで、水平方向でも高さ方向でも、前記第一ベース１２と各前記第一電子素子１１２との間に安全距離を予め残す必要がなく、前記カメラモジュールユニットの寸法を小さくすることができる。第三、前記第一ベース１２は各前記第一電子素子１１２を被覆することで、前記第一ベース１２と前記第一回路基板１１との間に接着剤を使用して接続とレベリングを行う必要がなく、前記カメラモジュールユニットの高さ寸法を下げるのに寄与する。第四、前記第一ベース１２は各前記第一電子素子１１２を被覆し、後続の搬送過程及び前記カメラモジュールユニットを組み立てて前記アレイカメラモジュール１００を形成する過程において、前記第一ベース１２は前記第一電子素子１１２の揺れ及び脱落を防止することができることで、前記アレイカメラモジュール１００の構造安定性を確保するのに寄与する。第五、前記第一ベース１２２３は各前記第一電子素子１１２を被覆し、後続の搬送過程及び前記カメラモジュールユニットを組み立てて前記アレイカメラモジュール１００を形成する過程において、汚染物の各前記第一電子素子１１２への汚染を防止することができることで、前記アレイカメラモジュール１００の画像形成品質を確保する。第六、前記第一ベース１２は前記電子素子を被覆した後に、前記第一電子素子１１２を空気から遮断することができ、このような方式にて、前記第一電子素子１１２の金属部分の酸化速度を遅くし、前記第一電子素子１１２及び前記アレイカメラモジュール１００の環境安定性を向上するのに寄与することができる。
【０１０８】
ところで、前記第一ベース１２は前記第一回路基板１１に一体的に成形すると共に前記第一回路基板１１の前記第一電子素子１１２を被覆することで、前記第一ベース１２及び前記第一回路基板本体１１１は比較的大きい接続面積を有し、接続をより安定にし、前記延在部１２４により安定した支持を提供すると共に、一体成形の方式は比較的よい構造強度を有するため、前記延在部１２４は前記第二カメラモジュールユニット２０を堅牢、信頼的に支持して固定することができることで、製品の良品率を確保する。
【０１０９】
ところで、前記第二カメラモジュールユニット２０は前記第一ベース１２の前記延在部１２４に取り付けられることで、前記延在部１２４の延在長さ及び前記第二カメラモジュールユニット２０の取付位置により前記第一カメラモジュールユニット１０と前記第二カメラモジュールユニット２０との間の距離を容易に制御し、類型の異なるカメラモジュールユニットの協動要求を容易に満足する。
【０１１０】
本発明のこの実施例によれば、前記第一ベース１２は前記第一感光素子１３に光線通路を提供するように第一光窓１２１を有する。言い換えれば、前記第一感光素子１３は前記第一光窓１２１内に位置し、前記第一感光素子１３の感光経路は前記第一光窓１２１と方向が一致する。
【０１１１】
より具体的には、前記第一ベース本体１２３は前記第一感光素子１３に光線通路を提供する前記第一光窓１２１を形成している。一実施例では、前記第一ベース本体１２３は前記第一感光素子１３の形状に適する１つの閉じた環状構造である。
本発明のこの実施例では、前記第一ベース１２は前記第一感光素子１３の外周を囲んでいる。
【０１１２】
前記第一ベース１２は前記第一光窓１２１に連通して取付位置を提供するための第一取付溝１２２を有する。前記第一カメラモジュールユニット１０は第一フィルタ素子１６を備え、前記第一フィルタ素子１６は、前記第一レンズ群１４を通して前記第一感光素子１３に至る光線をろ過するように前記第一レンズ群１４と前記第一感光素子１３との間に位置している。前記第一フィルタ素子１６は前記第一取付溝１２２に取り付けられている。
【０１１３】
ところで、本発明のこの実施例では、前記第一フィルタ素子１６は前記第一取付溝１２２に取り付けられ、つまり、前記第一取付溝１２２は前記第一フィルタ素子１６に取付位置を提供する。本発明の他の実施例では、前記第一取付溝１２２は他の部材に取付位置を提供してもよく、例えば、前記第一レンズ群支持素子１５、前記第一レンズ群１４に取付位置を提供し、台座１８(後述)等の素子に取付位置を提供することが挙げられるが、これらに限定されるものではない。
【０１１４】
更に、本発明のこの実施例によれば、前記第二カメラモジュールユニット２０は第二ベース２２を備え、前記第二ベース２２は前記第二回路基板２１に固定、接続されている。前記第二ベース２２は第二ベース本体２２３を備えると共に第二光窓２２１を有する。前記第二ベース本体２２３は前記第二感光素子２３に光線通路を提供する前記第二光窓２２１を形成している。言い換えれば、前記第二感光素子２３は前記第二光窓２２１内に位置し、前記第二感光素子２３は前記第二光窓２２１と方向が一致する。一実施例では、前記第二ベース本体２２３は前記第二感光素子２３の形状に適する１つの閉じた環状構造である。
【０１１５】
前記第二ベース２２は前記第二光窓２２１に連通する第二取付溝２２２を有し、前記第二取付溝は前記第二ベース本体２２３に設けられている。前記第二カメラモジュールユニット２０は第二フィルタ素子２６を備え、前記第二フィルタ素子２６は前記第二レンズ群２４を通して前記第二感光素子２３に至る光線をろ過するように、前記第二レンズ群２４と前記第二感光素子２３との間に位置している。前記第二フィルタ素子２６は前記第一取付溝１２２に取り付けられている。
【０１１６】
ところで、本発明のこの実施例では、前記第二フィルタ素子２６は前記第二取付溝２２２に取り付けられ、つまり、前記第二取付溝２２２は前記第二フィルタ素子２６に取付位置を提供する。本発明の他の実施例では、前記第二取付溝２２２は他の部材に取付位置を提供してもよく、例えば、前記第二レンズ群支持素子２５、前記第二レンズ群２４に取付位置を提供し、台座２８(後述)等の素子に取付位置を提供することが挙げられるが、これらに限定されるものではない。
【０１１７】
前記第一フィルタ素子１６及び前記第二フィルタ素子２６は異なる類型として実施されることができ、例えば、前記フィルタ素子は赤外カットフィルタ、全透過スペクトルフィルタ、ブルーガラスフィルタ及び他のフィルタ又は複数のフィルタの組合せとして実施されることができ、例えば、前記フィルタ素子は赤外カットフィルタ及び全透過スペクトルフィルタの組合せとして実施されることができ、即ち、前記赤外カットフィルタ及び前記全透過スペクトルフィルタは切り替えられて前記感光素子の感光経路に選択的に位置することができ、例えば、昼間等の光線が比較的十分な環境で前記アレイカメラモジュール１００を使用すると、前記赤外カットフィルタを前記感光素子の感光経路に切り替え、前記赤外カットフィルタを介して前記カメラモジュールユニットに進入して物体で反射される光線のうちの赤外線をろ過する一方、夜間等の光線の比較的暗い環境で前記カメラモジュールユニットを使用すると、前記全透過スペクトルフィルタを前記感光素子の感光経路に切り替え、前記カメラモジュールユニットに進入し受光されて物体で反射される光線のうちの赤外線部分を透過させることを許容する。
【０１１８】
更に、本発明のこの実施例によれば、前記第二ベース２２は前記第二回路基板２１に一体的に成形されることで、前記第二ベース２２と前記第二回路基板２１とを安定して固定すると共に、余分な取付、固定過程を少なくする。例えば、接着剤による接着過程を少なくして、接続をより安定にし、接着剤による接続高さ分を省き、カメラモジュールユニットの高さを下げる。
【０１１９】
前記第二回路基板２１は第二回路基板本体２１１と少なくとも１つの第二電子素子２１２とを備え、前記第二電子素子２１２は前記第二回路基板本体２１１よりも突出し、前記第二回路基板本体２１１の作動と協働するためのものである。前記第二ベース２２は前記第二回路基板本体２１１に一体的に成形すると共に、前記第二電子素子２１２を被覆している。前記第二ベース２２の一体成形の方式は前記第一ベース１２と同じであることができ、第一ベース１２と同様な利点があるため、ここには重複する説明を省略する。
【０１２０】
更に、本発明のこの実施例によれば、前記第一カメラモジュールユニット１０は少なくとも１つの第一レンズ群支持素子１５を備え、前記第一レンズ群１４は前記第一レンズ群支持素子１５に取り付けられ、前記第一レンズ群支持素子１５は前記第一ベース１２の前記第一ベース本体１２３に取り付けられることで、前記第一レンズ群１４を前記第一感光素子１３の感光経路に位置させる。
【０１２１】
前記第二カメラモジュールユニット２０は少なくとも１つの第二レンズ群支持素子２５を備え、前記第二レンズ群２４は前記第二レンズ群支持素子２５に取り付けられ、前記第二レンズ群支持素子２５は前記第二ベース本体２２３に取り付けられることで、前記第二レンズ群２４を前記第二感光素子２３の感光経路に位置させる。
【０１２２】
更に、前記第一レンズ群支持素子１５及び前記第二レンズ群支持素子２５は駆動素子又は鏡ホルダー素子として実施されることができることで、オートフォーカスカメラモジュール又はフィックスフォーカスカメラモジュールを形成している。前記駆動素子としてボイスコイルモーター、ピエゾモーター等が挙げられるが、これらに限定されるものではない。例えば、前記第一レンズ群支持素子１５及び前記第二レンズ群支持素子２５は何れも駆動素子として実施されると、前記第一カメラモジュールユニット１０及び前記第二カメラモジュールユニット２０は何れもオートフォーカスカメラモジュールであり、つまり、前記アレイカメラモジュール１００は２つのオートフォーカスカメラモジュールで構成される。前記第一レンズ群支持ユニット１５は駆動素子として実施され、前記第二レンズ群支持素子２５は鏡ホルダー素子として実施されると、前記第一カメラモジュールユニット１０はオートフォーカスカメラモジュールであり、前記第二カメラモジュールユニット２０はフィックスフォーカスカメラモジュールであり、つまり、前記アレイカメラモジュール１００はオートフォーカスカメラモジュールとフィックスフォーカスカメラモジュールとで構成される。前記第一レンズ群支持素子１５は鏡ホルダー素子として実施され、前記第二レンズ群２４素子は駆動素子として実施されると、前記第一カメラモジュールユニット１０はフィックスフォーカスカメラモジュールであり、前記第二カメラモジュールユニット２０はオートフォーカスカメラモジュールである。前記第一レンズ群支持素子１５及び前記第二レンズ群支持素子２５は何れも前記鏡ホルダー素子として実施されると、前記第一カメラモジュールユニット１０及び前記第二カメラモジュールユニット２０は何れもフィックスフォーカスカメラモジュールである。
【０１２３】
ところで、一実施例では、前記第一レンズ群支持素子１５又は前記第二レンズ群支持素子２５は駆動素子として実施されると、前記第一レンズ群支持素子１５及び前記第二レンズ群支持素子２５は前記第一レンズ群１４又は前記第二レンズ群２４を容易に駆動して作動させるように前記第一回路基板１１又は前記第二回路基板２１に電気的に接続されている。例として、前記第一レンズ群支持素子１５及び前記第二レンズ群支持素子２５はピン、ボンディングバッド又はリード線等を設ける方式にて前記第一回路基板１１又は前記第二回路基板２１に電気的に接続されることができる。
【０１２４】
前記第一カメラモジュールユニット１０及び前記第二カメラモジュールユニット２０の類型は、互いに協動してよりよい画像収集効果を実現するように必要に応じて配置されてもよく、本発明はその面に制限されない。
【０１２５】
ところで、前記第一カメラモジュールユニット１０における前記第一レンズ群支持素子１５が前記第一ベース本体１２３の天井面に取り付けられ、前記第一フィルタ素子１６が前記第一ベース本体１２３の前記第一取付溝１２２に取り付けられ、前記第二カメラモジュールユニット２０における前記第二レンズ群支持素子２５が前記第二ベース本体２２３の天井面に取り付けられ、前記第二フィルタ素子２６が前記第二ベース２２の第二取付溝２２２に取り付けられ、前記第一ベース１２及び前記第二ベース２２は何れも一体成形の方式にてそれぞれ前記第一回路基板本体１１１及び前記第二回路基板本体２１１に設けられることで、前記第一ベース本体１２３及び前記第二ベース本体２２３により平坦な取付条件を提供することができ、例えば、前記第一フィルタ素子１６、前記第二フィルタ素子２６、前記第一レンズ群支持素子１５及び前記第二レンズ群支持素子２５等に平坦、一致の取付条件を提供することで、前記第一カメラモジュールユニット１０及び前記第二カメラモジュールユニット２０のそれぞれの組立精度を向上して累積誤差を減少すると共に、前記第一カメラモジュールユニット１０と前記第二カメラモジュールユニット２０との中心光軸の一致性を向上するのに寄与する。
【０１２６】
前記第一回路基板１１、前記第一感光素子１３及び前記第一ベース１２で第一感光組立体を構成する。前記第二回路基板２１、前記第二感光素子２３及び前記第二ベース２２で第二感光組立体を構成する。前記第一感光組立体及び前記第二感光組立体でアレイ回路基板組立体を構成する。つまり、前記第一回路基板１１、前記第一ベース１２、前記第一感光素子１３、前記第二回路基板２１、前記第二感光素子２３及び前記第二ベース２２で前記アレイ回路基板組立体を構成することで、類型の異なるレンズ群又はレンズ群支持素子をそれぞれ前記第一ベース１２及び前記第二ベース２２に容易に取り付けて、予め定めた高度差Ｈを有する前記アレイカメラモジュール１００を構成する。言い換えれば、前記アレイカメラモジュール１００は高度差のある少なくとも１つの前記アレイ回路基板組立体と、２つの前記レンズ群とを備え、２つの前記レンズ群はそれぞれ前記アレイ回路基板組立体の２つの感光経路に位置している。
【０１２７】
例として、図３を参照すると、前記アレイカメラモジュール１００の前記アレイ回路基板組立体の形成過程は次のように行ってもよい。まず、前記第一回路基板１１における予め定めた位置に前記延在部１２４を備えた前記第一ベース１２を一体成形により形成すると共に、前記第一ベース１２の前記第一ベース本体１２３に前記第一回路基板本体１１１にある前記第一電子素子１１２を被覆させ、その後に前記第二回路基板２１を前記第一ベース１２の前記延在部１２４に取り付け、更に、前記第二回路基板２１における予め定めた位置に前記第二ベース２２を一体成形により形成すると共に、前記第二ベース２２に前記第二回路基板２１の前記第二電子素子２１２を被覆させ、更に、前記第一感光素子１３及び前記第二感光素子２３を前記第一ベース１２の第一光窓１２１及び前記第二ベース２２の第二光窓２２１内にそれぞれ位置するように前記第一回路基板１１及び前記第二回路基板２１にそれぞれ貼り付ける。勿論、本発明の他の実施の形態では、まず、前記第一感光素子１３及び前記第二感光素子２３を前記第一回路基板本体１１１及び前記第二回路基板本体２１１にそれぞれ貼り付け、その後、前記第一ベース１２及び前記第二ベース２２をそれぞれ形成してもよく、当業者は前記アレイ回路基板組立体の形成順序が本発明の制限とならないことを理解するはずである。
【０１２８】
ところで、図３で模式的に示すように、前記第一ベース１２を形成した後に前記第一回路基板１１及び前記第二回路基板２１に前記第一感光素子１３及び前記第二感光素子２３をそれぞれ貼り付ける。本発明の他の製造方式では、まず、前記第一回路基板１１及び/又は前記第二回路基板２１に前記第一感光素子１３及び前記第二感光素子２３をそれぞれ貼り付け、その後に前記第一第一ベース１２及び第二ベース２２を形成してもよい。勿論、他の順序であってもよく、例えば、まず、前記第一回路基板１１に前記第一感光素子１３を貼り付け、その後に前記第一ベース１２を形成し、更に、前記第一ベース１２の前記延在部１２４に前記第二回路基板２１を取り付け、その後に前記第二回路基板２１に前記第二感光素子２３を電気的に接続し、その後に前記第二ベース２２を形成している。つまり、異なる実施例では、前記第一回路基板１１に前記第一感光素子１３を電気的に接続するステップ、前記第一回路基板１１に前記第一ベース１２を形成するステップ、前記第一ベース１２に前記第二回路基板２１を設けるステップ、前記第二回路基板２１に前記第二感光素子２３を電気的に接続するステップ、前記第二回路基板２１に前記第二ベース２２を形成するステップは必要に応じて前後に配置されてもよく、図３で模式的に示す方式に限定されるものではない。
【０１２９】
図４及び図５は本発明の第二好ましい実施例によるアレイカメラモジュール１００の模式図を示す。本発明のこの実施例では、前記第二回路基板２１は前記第一ベース１２の前記延在部１２４に埋設されることで、前記第二回路基板２１と前記延在部１２４との相対高さを下げ、前記第二回路基板２１の取付、固定過程を少なくする点で上記実施例とは異なる。前記第二ベース２２は前記第一ベース１２に一体的に接続されている。言い換えれば、前記第二回路基板２１は前記第一ベース１２の前記延在部１２４に一体成形して固定されている。例えば、製造過程において、前記第一回路基板１１及び前記第二回路基板２１を予め定めた高度差を有するように予め定めた位置にそれぞれ設け、その後に前記第一回路基板１１及び前記第二回路基板２１を同時に一体的に成形して固定する。製造過程において、前記第二ベース２２を同時に形成してもよいし、前記延在部１２４を形成してから、再度前記第二ベース２２を形成してもよい。
【０１３０】
更に、前記第二回路基板本体２１１は前記第二感光素子２３に電気的に接続されるように少なくとも１つの第二電気接続域２１１１を有する。前記第二電気接続域２１１１は前記延在部１２４の表面に露出し、前記第二感光素子２３を容易に電気的に接続している。例えば、金線をボンディングする方式にて前記第二電気接続素子２３３を前記第二感光素子２３と前記第二電気接続域２１１１とに電気的に接続することで、前記第二感光素子２３及び前記第二回路基板２１を電気的に接続している。前記第二電気接続域２１１１の露出方式を実現する方式として、金型内部に突起を設けて前記第二電気接続域２１１１に当接させることで前記第二回路基板本体２１１の前記第二電気接続域２１１１が一体的な成形材で覆われないような方式が挙げられるが、これに限定されるものではない。前記第二電気接続域２１１１は条状ボンディングバッドとして実施されることが挙げられるが、これに限定されるものではない。ところで、図４では、前記第二回路基板本体２１１は前記延在部にほぼ完全に被覆され、前記第二電気接続域２１１１のみを露出させて前記第二感光素子２３を電気的に接続し、即ち、前記第二感光素子２３は前記延在部１２４の表面に支持される。つまり、製造過程において、まず、前記第一回路基板１１及び前記第二回路基板２１を一体的に成形して固定し、その後に、前記感光素子２３に電気的に接続する。本発明の他の実施例では、前記第二感光素子２３を前記第二回路基板２１に直接貼り付けると共に、前記第二感光素子２３を前記第二回路基板２１の前記第二電気接続域２１１１に電気的に接続し、その後に前記第一回路基板１１及び前記第二回路基板２１を一体的に成形して固定することができる。
【０１３１】
図５を参照すると、この実施の形態では、前記第二感光素子２３は四側のそれぞれに前記第二電気接続素子２３３を設ける方式にて前記第二回路基板２１に電気的に接続されている。相応的に、前記第二回路基板２１は対向する両側にそれぞれ設けられた４つの前記第二電気接続域２１１１を有する。４つの前記第二電気接続域２１１１は前記延在部１２４の表面に露出している。前記第二感光素子２３は各前記第二電気接続素子２３３により各前記第二電気接続域２１１１にそれぞれ電気的に接続されている。
【０１３２】
例として、前記アレイ回路基板組立体の制造過程は次のように行ってもよい。まず、前記第一回路基板１１及び前記第二回路基板２１を高度差を有するように予め定めた位置に設け、更に、前記第一ベース１２及び前記第二ベース２２を一体成形により形成すると共に、前記第二回路基板２１に前記第一ベース１２の前記延在部１２４を被覆させ、前記第二回路基板２１の前記第二電気接続域２１１１を前記延在部１２４の表面に露出させ、更に、前記第一感光素子１３及び前記第二感光素子２３を前記第一回路基板１１及び前記第二回路基板２１にそれぞれ電気的に接続する。
【０１３３】
勿論、他の実施例では、前記第一回路基板１１は前記第一ベース１２に被覆されると共に、前記第一感光素子１３を前記第一電気接続域に電気的に接続するように前記第一回路基板１１の少なくとも１つの第一電気接続域を外部に露出させることができる。本発明の他の１つの実施例では、前記第二回路基板２１は第二ベース２２により完全に被覆されなくてもよく、例えば、前記第二回路基板２１の底部を前記延在部１２４に嵌め、前記第二回路基板２１の表面を外部に露出することで、前記延在部１２４により前記第二回路基板２１の位置を規制して、取付過程で変位が発生するのを防止すると共に、前記第二回路基板２１と前記延在部１２４との相対高さを下げる。
【０１３４】
図６は本発明の第二好ましい実施例によるアレイカメラモジュール１００の１つの変形実施の形態を示す。前記アレイ回路基板組立体は前記第一回路基板１１と前記第二回路基板２１とに接続される接続板１２８を備える点で、図５の実施の形態とは異なる。より具体的には、前記接続板１２８は前記第一回路基板１１と前記第二回路基板２１とを電気的に接続することで、前記第一回路基板１１及び前記第二回路基板２１は情報を取り合う。前記第一回路基板１１及び前記第二回路基板２１は電気的に接続されるときに、前記第一回路基板及び前記第二回路基板２１は１つの出力端を共用することができる。前記接続板１２８として軟質板が挙げられるが、これに限定されるものではない。
【０１３５】
図７は本発明の第三好ましい実施例によるアレイカメラモジュール１００を示す。前記第一ベース１２は少なくとも一部が前記第一ベース本体１２３から上方へ延在して前記第一レンズ群１４又は前記第一レンズ群支持素子１５を位置規制して取り付けるための第一位置規制溝１２６を形成する第一延在取付部１２５を備え、前記第二ベース２２は、少なくとも一部が前記第二ベース本体２２３から上方へ延在して前記第二レンズ群２４又は前記第二レンズ群支持素子２５を位置規制して取り付るための第二位置規制溝２２６を形成する第二延在取付部２２５を備える点で上記実施例とは異なる。
【０１３６】
本発明のこの実施例では、前記第一レンズ群１４は前記第一位置規制溝１２６に取り付けられている。つまり、前記第一延在取付部１２５の形状は前記第一レンズ群１４に対応することで、前記第一レンズ群１４を位置規制して取り付けるのに適し、フィックスフォーカスカメラモジュールを形成している。前記第二レンズ群２４は前記第二位置規制溝２２６に取り付けられている。つまり、前記第二延在取付部２２５の形状は前記第二レンズ群２４に対応することで、前記第二レンズ群２４を位置規制して取り付けるのに適し、フィックスフォーカスカメラモジュールを形成している。つまり、前記アレイカメラモジュール１００の２つの前記アレイカメラモジュール１００ユニットは何れもフィックスフォーカスカメラモジュールである。
【０１３７】
本発明の他の一実施例では、前記第一レンズ群支持素子１５は前記第一位置規制溝１２６に取り付けられ、前記第一レンズ群１４は前記第一レンズ群支持素子１５に取り付けられ、前記第一レンズ群支持素子１５は駆動素子として実施されることで、前記第一カメラモジュールユニット１０はオートフォーカスカメラモジュールを形成している。前記第二レンズ群支持素子２５は前記第二位置規制溝２２６に取り付けられ、前記第二レンズ群２４は前記第二レンズ群支持素子２５に取り付けられ、前記第二レンズ群支持素子２５は駆動素子として実施されることで、前記第二カメラモジュールユニット２０はオートフォーカスカメラモジュールを形成している。つまり、前記アレイカメラモジュール１００の２つの前記カメラモジュールユニットは何れもオートフォーカスカメラモジュールである。
勿論、本発明の他の実施例では、オートフォーカス及びフィックスフォーカスとの２種類の方式の組合せであってもよく、本発明はその面に制限されない。
【０１３８】
図８Ａは本発明の第四好ましい実施例によるアレイカメラモジュール１００を示す。本発明のこの実施の形態では、前記第一カメラモジュールユニット１０は、他の部材、例えば、前記第一フィルタ素子１６、前記第一レンズ群１４又は前記第一レンズ群支持素子１５を取り付けるための第一台座１８を備える。
【０１３９】
本発明のこの実施例の図面では、前記第一台座１８は前記第一ベース本体１２３に取り付けられ、前記第一フィルタ素子１６は前記第一台座１８に取り付けられている。特に、前記第一台座１８は前記第一ベース１２の前記第一光窓１２１内に沈下することで、前記第一フィルタ素子１６の位置を沈下させ、前記第一感光素子１３に近づけ、前記第一カメラモジュールユニット１０のバックフォーカスを低減すると共に、前記第一フィルタ素子１６の必要面積を低減する。
【０１４０】
前記第二カメラモジュール２０は他の部材、例えば、前記第二フィルタ素子２６、前記第二レンズ群２４又は前記第二レンズ群支持素子２５を取り付けるための第二台座２８を備える。本発明のこの実施例では、前記第二台座２８は前記第二ベース本体２２３に取り付けられ、前記第二フィルタ素子２６は前記第二台座２８に取り付けられている。特に、前記第二台座２８は前記第二ベース２２の前記第二光窓２２１内に沈下することで、前記第二フィルタ素子２６の位置を沈下させ、前記第二感光素子２３に近づけ、前記第二カメラモジュールユニット２０のバックフォーカスを低減すると共に、前記第二フィルタ素子２６の必要面積を低減する。勿論、本発明の他の実施例では、前記アレイカメラモジュール１００は１つの前記台座、例えば前記第一台座１８又は前記第二台座２８のみを備えてもよく、当業者は前記台座の数が本発明の制限とならないことを理解するはずである。
【０１４１】
この実施例では、前記第一台座１８は前記第一ベース１２の前記第一取付溝１２２に取り付けられ、前記第二台座２８は前記第二ベース２２の前記第二取付溝２２２に取り付けられている。本発明の他の実施例では、前記第一ベース本体１２３及び前記第二ベース本体２２３は、沈下しない前記第一台座１８及び前記第二台座２８に直接取り付けられるプラットフォーム状の構造であってもよく、当業者は前記台座の取付位置及び具体的な構造が本発明の制限とならないことを理解するはずである。
【０１４２】
図８Ｂは本発明の第四好ましい実施例によるアレイカメラモジュール１００の変形実施の形態を示す。このような実施の形態では、前記第一台座１８及び前記第二台座２８は一体的に接続されている。つまり、前記第一台座１８及び前記第二台座２８は隣り合う部分が互いに接続されることで、前記第一ベース１２及び前記第二ベース２２に一度に取り付けることができると共に、相対的に一致する取付条件を提供する。更に、前記第一ベース１２及び前記第二ベース２２は一体的に接続されている。つまり、前記第二ベース２２は成形されるときに、前記第二回路基板２１に一体的に成形されるだけではなく、前記第一ベースにおける少なくとも一部の表面にも一体的に成形されることで、前記第一ベース１２及び前記第二ベース２２はより堅牢に接続されている。
【０１４３】
図８Ｃは本発明の第四好ましい実施例によるアレイカメラモジュール１００の他の変形実施の形態を示す。このような実施の形態では、前記第二カメラモジュールユニット２０は第二台座２８を備え、前記第二台座２８は前記第二回路基板２１に直接取り付けられている。つまり、このような方式では、前記第二カメラモジュールユニット２０は前記第二ベース２２を備えず、前記第二台座２８により前記第二ベース２２の支持機能を担う。
【０１４４】
より具体的には、前記第二台座２８は前記第二回路基板本体２１１の天井面に直接貼り付けられる。例として、前記第一台座２８は前記第二回路基板本体に接着、固定されている。前記第二台座２８は前記第二感光素子２３に光線通路を提供する光透過孔２８１を有する。前記第二台座２８は前記光透過孔２８１に連通して前記第二電子素子２１２及び前記第二感光素子２３を避けるための退避空間２８２を有する。
更に、このような方式では、前記第二レンズ群支持素子２５及び/又は前記第二レンズ群２４は前記第二台座２８の天井面に直接取り付けられている。
【０１４５】
図９は本発明の第五好ましい実施例によるアレイカメラモジュール１００の模式図を示す。前記第一カメラモジュールユニット１０は第一補充ベース１９を備え、前記第一補充ベース１９は前記第一ベース本体１２３に補充されて取り付けられ、前記第一ベース本体１２３と協動して前記第一光窓１２１を形成している。つまり、このような実施の形態では、前記第一ベース本体１２３は１つの閉じた環状構造ではなく、前記第一補充ベース１９により補充してから形成された１つの閉じた環状構造である。言い換えれば、前記第一ベース本体１２３は外部に連通する少なくとも１つの第一切欠き１２３１を備え、前記第一補充ベース１９は少なくとも一部が前記第一切欠き１２３１に補充される。前記第一切欠き１２３１は前記第一補充ベース１９の位置を位置規制することで、前記補充ベースは正確かつ速めに取り付けられることができる。前記第一切欠き１２３１及び前記第一補充ベース１９の形状は必要に応じて設置してもよく、例えば、逆台形構造、三角形構造、方形構造等にしてもよく、本発明はその面に制限されない。
【０１４６】
前記第二カメラモジュールユニット２０は第二補充ベース２９を備え、前記第二補充ベース２９は前記第二ベース本体２２３に補充されて取り付けられ、前記第二ベース本体２２３と協動して前記第二光窓２２１を形成している。つまり、このような実施の形態では、前記第二ベース本体２２３は１つの閉じた環状構造ではなく、前記第二補充ベース２９により補充してから形成された１つの閉じた環状構造である。言い換えれば、前記第二ベース本体２２３は外部に連通する少なくとも１つの第二切欠き２２３１を備え、前記第二補充ベース２９は少なくとも一部が前記第二切欠き２２３１に補充される。前記第二切欠き２２３１は前記第二補充台座１８の位置を位置規制することで、前記補充ベースは正確かつ速めに取り付けられることができる。前記第二切欠き２２３１及び前記第二補充ベース２９の形状は必要に応じて設置してもよく、例えば、逆台形構造、三角形構造、方形構造等にしてもよく、本発明はその面に制限されない。
【０１４７】
勿論、本発明の他の実施の形態では、前記アレイカメラモジュール１００は１つの前記補充ベース、例えば、前記第一補充ベース１９又は前記第二補充ベース２９のみを備えてもよく、当業者は前記補充ベースの形状及び数が本発明の制限とならないことを理解するはずである。
【０１４８】
図１０は本発明の第六好ましい実施例によるアレイカメラモジュール１００の模式図を示す。この実施例では、前記第二回路基板本体２１１は第二沈下孔２１１２を有し、前記第二感光素子２３は沈下して前記第二沈下孔２１１２内に設けられることで、前記第二感光素子２３と前記第二回路基板本体２１１との相対高さを下げる。
【０１４９】
前記第二沈下孔２１１２は前記第二回路基板２１の両側に連通し、前記第二感光素子２３が前記第二沈下孔２１１２に沈下すると、前記第二感光素子２３の底部は前記第一ベース１２の前記延在部１２４により支持される。つまり、前記延在部１２４は前記第二感光素子２３に取付平面を提供する。前記第一ベース１２は一体成形の方式にて前記第一回路基板１１に形成されることで、前記延在部１２４及び前記第一回路基板１１を比較的よい一致性を有するように延在させ、前記第二感光素子２３及び前記第一回路基板１１に比較的よい一致性を持たせ、前記第一カメラモジュールユニット１０と前記第二カメラモジュールユニット２０とに比較的よい光軸の一致性を持たせ、言い換えれば、前記第一カメラモジュール１０及び前記第二カメラモジュールユニット２０の画像形成品質をよりよくする。即ち、前記アレイカメラモジュール１００の画像形成品質をよりよくする。
【０１５０】
本発明の他の１つの実施の形態では、前記第二回路基板本体２１１は沈下溝を有し、前記第二感光素子２３は沈下して前記沈下溝内に設けられることで、前記第二感光素子２３と前記第二回路基板本体２１１との相対高さを下げる。前記沈下溝は前記第二回路基板本体２１１の両側に連通しない点で上記沈下孔２１１２とは異なる。つまり、前記第二回路基板本体２１１の沈下深さ及び前記第二感光素子２３の前記第二回路基板本体２１１との相対高さの大きさは前記沈下溝の深さを制御することで実現することができる。当業者は、前記沈下溝又は前記沈下孔は前記第二回路基板本体２１１の両側に連通するか否か及び前記第二感光素子２３の沈下深さが本発明の制限とならないことを理解するはずである。
【０１５１】
図１１Ａは本発明の第七好ましい実施例によるアレイカメラモジュール１００の模式図を示す。このような実施例では、前記第一ベース本体１２３及び前記第二ベース本体２２３は一体的に接続され、前記第一ベース本体１２３は前記第一回路基板１１に固定、接続され、前記第二ベース本体２２３は前記第二回路基板２１に固定、接続されることで、前記第一カメラモジュールユニット１０と前記第二カメラモジュールユニット２０とを安定して接続する。
【０１５２】
つまり、このような方式では、前記第二ベース本体２２３及び前記第一ベース本体１２３の一体接続の方式にて前記第一カメラモジュールユニット１０と前記第二カメラモジュールユニット２０とを固定、接続する。前記第一ベース１２と前記第二ベース２２との間に高度差を有する。つまり、前記第二ベース本体２２３は前記延在部１２４と同じ機能を有し、前記第二回路基板２１を固定する。
【０１５３】
例として、製造過程において、前記第一回路基板１１及び前記第二回路基板２１を予め定めた高度差を有するように予め定めた位置に設け、更に、前記第一回路基板１１及び前記第二回路基板２１における予め定めた位置に前記第一ベース本体１２３及び前記第二ベース本体２２３をそれぞれ形成することで、前記第一回路基板１１及び前記第二回路基板２１の相対位置を高度差を有するように決める。更に、前記第一回路基板１１及び前記第二回路基板２１に前記第一感光素子１３及び前記第二感光素子２３を取り付ける。勿論、本発明の他の実施の形態では、他の順序で製造する方式であってもよく、本発明はその面に制限されない。
【０１５４】
図１１Ｂは本発明の第七好ましい実施例によるアレイカメラモジュールの１つの変形実施の形態の模式図を示す。このような実施の形態では、前記第一台座１８及び前記第二台座２８は一体的に接続されている。つまり、前記第一台座１８及び前記第二台座２８は隣り合う部分が互いに接続されることで、前記第一ベース１２及び前記第二ベース２２に一度に取り付けることができると共に、相対的に一致する取付条件を提供する、かつ前記第一台座１８及び前記第二台座２８との一体的な接続は、前記フィルタ素子及び他の部材、例えば前記レンズ群又は前記レンズ群支持素子により安定した支持を提供し、前記第一ベース１２及び前記第二ベース２２が一体的に接続されるときの構造強度を増やすことができる。
【０１５５】
図１２は本発明の第八好ましい実施例によるアレイカメラモジュール１００の模式図を示す。前記アレイカメラモジュール１００は支持板１２９を備え、前記支持板１２９は前記第一ベース本体１２３に固定、接続され、前記第二回路基板２１は前記支持板１２９に取り付けられている。
更に、前記支持板１２９は貫通孔１２９０を有し、前記貫通孔１２９０は前記第一感光素子１３に光線通路を提供するように前記第一光窓１２１に対応する。
【０１５６】
言い換えれば、このような方式では、前記第一ベース１２は前記延在部１２４を形成せず、前記支持板１２９により前記第一カメラモジュールユニット１０及び前記第二カメラモジュールユニット２０を固定、接続すると共に、前記第一カメラモジュールユニット１０と前記第二カメラモジュールユニット２０の底部との間に高度差を持たせ、外端部を一致させる。前記支持板１２９として１枚の金属板が挙げられるが、これに限定されるものではなく、鋼板であるのが好ましい。
【０１５７】
つまり、前記第二カメラモジュールユニット２０の前記第二回路基板２１は前記支持板１２９の天井面に支持、固定され、例えば接着固定の方式にて接続されている。
【０１５８】
つまり、このような方式では、前記第一カメラモジュールユニット１０の前記支持板１２９は前記接続部を形成し、前記第二カメラモジュールユニット２０に支持、固定の位置を提供することで、前記第一カメラモジュールユニット１０と前記第二カメラモジュールユニット２０とを高度差を有するように安定して固定する。前記支持板１２９の天井面と前記第一回路基板１１の底面との間に前記高度差Ｈを形成し、即ち、前記第一回路基板１１の底面と前記第二回路基板２１の底面との間に前記高度差Ｈを形成している。
【０１５９】
図１３は本発明の第九好ましい実施例によるアレイカメラモジュール１００の模式図を示す。このような実施の形態では、前記第一ベース１２の前記延在部１２４は下方へ広がることで、前記延在部１２４の底部及び前記第一回路基板１１の底部を一致させる。つまり、前記アレイカメラモジュール１００は全体的に外端部及び底部が何れも一致することで、一定的であり、かつ相対的に規則、平坦な構造を形成し、電子デバイスへの取付を容易にする。
【０１６０】
言い換えれば、この実施の形態では、前記延在部１２４は少なくとも一部が前記ベース本体１２３から外方へ延在することで、前記延在部１２４の底面及び前記第一回路基板本体１１１の底面を一致させ、前記延在部１２４の天井面即ち、前記支持面１２４１と前記第一回路基板本体１１１との間に高度差を形成し、前記第二回路基板２１１は前記支持面１２４１に取り付けることで、前記アレイカメラモジュールの先端及び底端は何れも一致する。
【０１６１】
図１４は本発明の第十好ましい実施例によるアレイカメラモジュール１００の模式図を示す。このような実施の形態では、前記第一ベース１２は製造過程において金型を支持して、前記第一回路基板１１又は前記第一感光素子１３への損傷を防止するための第一支持素子１２７を備える。つまり、製造過程において、製造金型を前記第一支持素子１２７に当接させることで、金型を前記第一回路基板１１又は前記第一感光素子１３に直接接触させないようにすると共に、成形材料の内側への溢れを防止することができる。
【０１６２】
更に、前記第一支持素子１２７は、前記第一ベース本体１２３の形状に一致する環状構造であることができる。前記第一支持素子１２７は弾性を有し、接着剤塗布層又はゴムパッドが挙げられるが、これらに限定されるものではない。
【０１６３】
前記第一支持素子１２７は前記第一ベース１２の一部と前記第一回路基板１１１との間に設けられている。具体的には、前記第一支持素子１２７は前記第一ベース本体１２３と、内側辺縁と、対応の前記第一回路基板１１との間に設けられている。
【０１６４】
更に、前記第一ベース本体１２３の側壁は傾斜角を有することで、金型による製造、例えば、型抜き過程を便利にすると共に前記第一ベース本体１２３の底部にバリが生じる現象を減少する。
【０１６５】
前記第二ベース２２は製造過程において金型を支持して、前記第二回路基板２１又は前記第二感光素子２３への損傷を防止するための第二支持素子２２７を備える。つまり、製造過程において、前記製造金型を前記第二支持素子２２７に当接させることで、金型を前記第一回路基板１１又は前記第二感光素子２３に直接接触させないようにすると共に、成形材料の内側への溢れを防止することができる。
【０１６６】
更に、前記第二支持素子２２７は前記第二ベース本体２２３の形状に一致する環状構造であることができる。前記第二支持素子２２７は弾性を有し、接着剤塗布層又はゴムパッドが挙げられるが、これらに限定されるものではない。
【０１６７】
前記第二支持素子２２７は前記第二ベース２２の一部と前記第二回路基板２１１との間に設けられている。具体的には、前記第二支持素子２２７は前記第二ベース本体２２３と、内側辺縁と、対応の前記第二回路基板２１との間に設けられている。
【０１６８】
更に、前記第二ベース本体２２３の側壁は傾斜角を有することで、金型による製造、例えば、型抜き過程を便利にすると共に、前記第二ベース本体２２３の底部にバリが生じる現象を減少する。
【０１６９】
図１５は本発明の第十一好ましい実施例によるアレイカメラモジュール１００の模式図である。本発明のこのような実施の形態では、前記第一フィルタ素子１６は前記第一ベース１２に固定、接続され、更に、前記第一フィルタ素子１６は前記第一ベース本体１２３に固定、接続されている。具体的には、前記第一フィルタ素子１６は一体成形の方式にて前記第一ベース本体１２３に固定、接続されている。
更に、前記第一フィルタ素子１６は前記第一支持素子１２７に支持されることで、一体成形して固定、接続されることが容易になる。
【０１７０】
前記第二フィルタ素子２６は前記第二ベース２２に固定、接続され、更に、前記第二フィルタ素子２６は前記第二ベース本体２２３に固定、接続されている。具体的には、前記第二フィルタ素子２６は一体成形の方式にて前記第二ベース本体２２３に固定、接続されている。
更に、前記第二フィルタ素子２６は前記第二支持素子２２７に支持されることで、一体成形して固定、接続されることが容易になる。
【０１７１】
例として、一実施例では、前記フィルタ素子１６、２６はモールディング成形の方式にて各前記ベース本体１２３、２２３に一体的に成形して接続されることができる。
【０１７２】
例として、前記アレイカメラモジュール１００の前記アレイ回路基板組立体の形成過程は次のように行ってもよいが、これに限定されるものではない。即ち、まず、前記第一回路基板１１及び前記第二回路基板２１に前記第一支持素子１２７及び前記第二支持素子２２７をそれぞれ設け、その後に、前記第一フィルタ素子１６を前記第一支持素子１２７に設け、その後に、前記第一フィルタ素子１６の上方に一体成形により前記第一ベース１２を形成することで、前記第一フィルタ素子１６を一体的に成形して固定し、更に、前記第二回路基板２１を前記第一ベース１２の前記延在部１２４に設け、更に、前記第二支持素子２２７に前記第二フィルタ素子２６を設け、前記第二フィルタ素子２６の上方に一体成形により前記第二ベース本体２２３を形成することで、前記第二フィルタ素子２６を一体的に成形して固定する。
【０１７３】
図１６は本発明の第十二好ましい実施例によるアレイカメラモジュール１００の模式図を示す。本発明のこの実施例では、前記第一カメラモジュールユニット１０及び前記第二カメラモジュールユニット２０のそれぞれは少なくとも１つの支持素子１２７、２２７と少なくとも１つのレンズ１７、２７とを備え、前記レンズ１７、２７はそれぞれ前記支持素子１２７、２２７に支持される。各前記レンズ１７、２７はそれぞれ前記第一ベース本体１２３及び前記第二ベース本体２２３に設けられている。具体的には、前記レンズ１７、２７は前記第一ベース本体１２３及び前記第二ベース本体２２３に一体的に成形されて固定され、それぞれ前記第一感光素子１３及び前記第二感光素子２３の感光経路に位置している。
【０１７４】
物体で反射される光線は前記レンズ群１４、２４及び前記レンズ１７、２７から前記カメラモジュールユニットの内部に進入し、後続で前記第一感光素子１３及び前記第二感光素子２３で受光して光電変換されることで、物体に関連付けられる映像を得る。前記レンズ１７、２７を設けることで光学上のＴＴＬ(レンズ群の光透過孔の上面にあるレンズ群平面からチップの感光面までの距離)を小さくすることができ、これにより、光学性能に影響を及ぼすことなく、前記カメラモジュールユニットの寸法を更に小さくし、寸法の小さいアレイカメラモジュール１００が搭載される電子デバイスの要求を満足することができる。同時に、前記レンズ１７、２７を設けることで、汚れに対する感度を低下させることができる。例えば、一実施例では、汚れに対する感度を５０％低下させることができる。
【０１７５】
本発明のこの好ましい実施例では、前記レンズ１７、２７は熱硬化性質のレンズとして実施されることが好ましく、即ち、前記レンズ１７、２７は熱硬化レンズとして実施されることで、前記レンズ１７、２７はモールディングプロセスを行うときにモールディングプロセス中の環境温度に耐えることができる。例えば、１つの実施例のモールディングプロセス中に１７５℃のモールディング環境温度に耐えることができる。つまり、モールディングプロセスの前に、耐高温でかつ熱硬化処理された前記レンズ１７は前記支持素子１２７に接続されると共に、前記第一回路基板１１と共に金型に置かれ、流体となる固化モールディング材料は前記支持素子１２７及び前記レンズ１７の外表面を囲んでモールディングされて前記第一ベース１２を一体的に成形することで、前記第一ベース１２は前記第一回路基板１１に一体に成形されることができ、つまり、前記第一ベース１２と、前記第一回路基板１１と、前記レンズ１７は一体構造として形成される。当業者は本発明の前記レンズ１７、２７が熱硬化レンズ１７、２７だけでなく、他の性質のレンズ１７、２７であってもよく、本発明はここに限定されるものではないことを理解するはずである。類似的に、他の１つの前記レンズ２７、前記第二ベース２２及び前記第二回路基板２１は一体的に成形して一体構造とすることができる。
【０１７６】
更に、前記レンズ１７、２７はレンズ本体１７１、２７１と前記レンズ本体１７１、２７１の周囲に設けられるレンズ周縁１７２、２７２とを備える。前記レンズ１７、２７は精密光学素子であるため、前記レンズ本体１７１、２７１の辺縁は比較的薄い。前記レンズ本体１７１、２７１の辺縁に設けられると共に一体的に接続される前記レンズ周縁１７２、２７２は肉厚式ブラケットの設計であり、前記レンズ本体１７１、２７１を支えることができ、これにより前記レンズ本体１７１、２７１の光学性能に影響を及ぼさないと共に、前記レンズ本体１７１、２７１を金型において前記ベースに一体的にモールディングして接続することができる。つまり、前記ベースが成形される前に、前記レンズ１７、２７の前記レンズ周縁１７２、２７２は前記感光素子の前記非感光領域に設けられ、前記レンズ１７、２７の前記レンズ本体１７１、２７１は前記感光素子の感光経路に設けられ、前記ベースが成形された後に、前記モールディングベースは前記回路基板と、前記感光素子と、前記支持素子の一部と、前記レンズ１７、２７の前記レンズ周縁１７２、２７２を被覆している。
【０１７７】
ところで、前記支持素子及び前記レンズ１７、２７は前記アレイカメラモジュール１００の製品良品率を効率的に向上すると共に前記アレイカメラモジュール１００の画像形成品質を改善することができる。更に、前記支持素子１２７、２２７は枠状の支持本体を備えると共に貫通孔を有し、前記支持本体は前記感光素子の感光域が前記支持素子の前記貫通孔及び前記レンズ１７、２７の前記レンズ本体１７１、２７１に対応するように前記回路基板に設けられことで、モールディングプロセスを行うときに、前記支持本体及び前記レンズ１７、２７は前記感光素子を保護することができるようにする。
【０１７８】
このような実施例では、前記第一感光素子１３及び前記第二感光素子２３は一体的に成形されてパッケージされないので、前記第一ベース１２及び前記第二ベース２２を一体的に成形する前に、前記第一感光素子１３及び前記第二感光素子２３をそれぞれ前記第一回路基板１１及び前記第二回路基板２１に設ける必要があり、例えば、表面貼り付けの方式にて前記第一感光素子１３及び前記第二感光素子２３をそれぞれ前記第一回路基板１１及び前記第二回路基板２１に設け、又は、粘性媒体により第一感光素子１３又は前記第二感光素子２３をそれぞれ前記第一回路基板及び前記第二回路基板２１にパッケージし、例えば接着剤によりパッケージする。
【０１７９】
図１７は本発明の第十三好ましい実施例によるアレイカメラモジュール１００の模式図を示す。前記アレイカメラモジュール１００は３つのカメラモジュールユニットを備え、それぞれは第一カメラモジュールユニット１０と、第二カメラモジュールユニット２０と、第三カメラモジュールユニット３０である。前記第一カメラモジュールユニット１０と前記第二カメラモジュールユニット２０及び前記第三カメラモジュールユニット３０との間に高度差Ｈを有し、かつ前記第一カメラモジュールユニット１０と、前記第二カメラモジュールユニット２０と、前記第三カメラモジュールユニット３０との外端部が一致する。前記第一カメラモジュールユニット１０と前記カメラモジュールユニットとの高さが一致する。
【０１８０】
具体的には、前記第一ベース１２は延在部１２４を備え、前記第三カメラモジュールユニット３０及び前記第二カメラモジュールユニット２０はそれぞれ前記延在部１２４に設けられることで、前記第一カメラモジュールユニット１０と、前記第二カメラモジュールユニット２０と、前記第三カメラモジュールユニット３０を構造がコンパクトになるように安定して接続する。
【０１８１】
つまり、前記延在部１２４は前記第三回路基板３１及び前記第二回路基板２１に同時に取付平面を提供する。特に、本発明のこの実施例では、前記第二カメラモジュールユニット２０の前記第二ベース２２は前記第三カメラモジュールユニット３０の前記第三ベース３２に一体的に接続されることで、前記第一カメラモジュールユニット１０と、前記第二カメラモジュールユニット２０と、前記第三カメラモジュールユニット３０の光軸の一致性を確保する。
【０１８２】
図１８〜図２０は本発明の第十四好ましい実施例によるアレイカメラモジュール１００を示し、前記アレイカメラモジュール１００は少なくとも２つのカメラモジュールユニットを備え、少なくとも２つの前記カメラモジュールユニットは外端面が一致し、少なくとも２つの前記カメラモジュールユニットの底部間に高度差Ｈを有し、高度差空間１１０を形成している。
【０１８３】
具体的には、２つの前記カメラモジュールユニットはそれぞれ第一カメラモジュールユニット１０及び第二カメラモジュールユニット２０である。前記第一カメラモジュールユニット１０は第一回路基板１１と、第一感光素子１３と、第一レンズ群１４とを備える。前記第二カメラモジュールユニット２０は第二回路基板２１と、第二感光素子２３と、少なくとも１つの第二レンズ群２４とを備える。
【０１８４】
更に、前記第一カメラモジュールユニット１０は第一ベース１２を備え、前記第一ベース１２は前記第一回路基板１１に固定、接続されている。前記第一ベース１２は第一ベース本体１２３と、延在部１２４とを備え、前記第一ベース本体１２３は前記第一回路基板１１に固定、接続され、前記延在部１２４は、前記第二カメラモジュールユニット２０に取付位置を提供するように、少なくとも一部が前記ベース本体から外方へ延在する。前記第二回路基板２１は前記第一ベース１２の前記延在部１２４に固定、接続されることで、前記第一ベース１２により前記第一カメラモジュールユニット１０と前記第二カメラモジュールユニット２０とを安定して接続する。
【０１８５】
前記第一感光素子１３は、前記第一回路基板１１に感光情報を送信するように、前記第一回路基板１１に電気的に接続され、前記第一レンズ群１４は前記第一感光素子１３が光線を受光して感光するように、前記第一感光素子１３の感光経路に位置している。前記第二感光素子２３は前記第二回路基板２１に感光情報を送信するように、前記第二回路基板２１に電気的に接続され、前記第二レンズ群２４は前記第二感光素子２３が光線を受光して感光するように前記第二感光素子２３の感光経路に位置している。特に、ある実施の形態では、前記第一感光素子１３及び前記第二感光素子２３は表面貼り付けプロセスＳＭＴ(Ｓｕｒｆａｃｅ  Ｍｏｕｎｔ  Ｔｅｃｈｎｏｌｏｇｙ)又はＣＯＢ(Ｃhip  Ｏn  Ｂｏａｒd )プロセスにて前記第一回路基板１１及び前記第二回路基板２１にそれぞれ設けられると共に、少なくとも１つの第一電気接続素子１３３及び第二電気接続素子２３３により前記第一回路基板１１及び前記第二回路基板２１にそれぞれ電気的に接続されることができる。前記第一電気接続素子１３３及び前記第二電気接続素子２３３として金線、銀線、銅線、アルミ線、ボンディングバッド、ピン等が挙げられるが、これらに限定されるものではない。より具体的には、本発明によれば、前記第一ベース１２は一体成形の方式、例えばモールディング成形の方式にて前記第一回路基板１１に設けられることで、前記第一ベース１２と前記第一回路基板１１とを安定して固定すると共に、余分な取付、固定過程を少なくする。例えば、接着剤による接着過程を少なくして、接続をより安定にし、接着剤による接続高さ分を省き、カメラモジュールユニットの高さを下げる。
【０１８６】
前記第一感光素子１３は感光域１３１と非感光域１３２とを有し、前記感光域１３１は感光作用を果たすものである。本発明のこの実施例では、前記非感光域１３２は前記電気接続素子１３３により前記回路基板１１に電気的に接続されている。更に、前記ベース１２は少なくとも一部が前記感光素子１３の前記非感光域１３２に一体的に成形されている。言い換えれば、前記第一ベース１２は前記第一回路基板１１及び前記第一感光素子１３を一体的に成形してパッケージしている。前記ベース１２は前記電気接続素子１３３を被覆している。
【０１８７】
図１８Ｂに示す本発明の第十四好ましい実施例による変形実施の形態を参照すると、このような実施の形態では、少なくとも１つの前記カメラモジュールの前記感光素子は少なくとも一部が前記ベースにより一体的にパッケージされると共に、少なくとも１つの前記カメラモジュールの前記感光素子が前記ベースにより一体的にパッケージされない。具体的には、図１８Ｂを参照すると、前記第一カメラモジュールユニット１０の前記第一回路基板１１及び前記第一感光素子１３の少なくとも一部の前記非感光域１３２は前記第一ベース１２により一体的にパッケージされ、前記第二カメラモジュールユニット２０の前記第二回路基板２１は前記第二ベースにより一体的にパッケージされる。つまり、前記第二感光素子２３は前記第二ベースにより一体的にパッケージされない。言い換えれば、本発明の実施例の感光素子のパッケージング方式及び他の実施例の感光素子の取付方式は自由に組み合わせることができ、これにより、構造の異なるアレイカメラモジュールを形成し、本発明はその面に制限されない。
【０１８８】
ところで、前記回路基板のみに成形される上記の方式に対して、感光素子にモールディング成形される方式は前記ベースの一体的に成形可能な範囲を前記感光素子の前記非感光域まで広げることにより、前記感光素子の正常な感光作動に影響を及ぼさずに、前記ベース底部の接続面積を大きくすることができ、これにより、前記ベース、前記回路基板及び前記感光素子をより安定して接続することができると共に、天井部は他の部材、例えば前記レンズ群、前記レンズ群支持素子等に、より大きな取付可能な面積を提供することができる。かつ前記電気接続素子１３３は前記ベース１２により被覆されることで、外部からの前記電気接続素子１３３への干渉を防止すると共に、前記電気接続素子１３３の酸化又はほこり付着による前記カメラモジュールユニットの画像形成品質への影響を防止する。
【０１８９】
例として、前記第一ベース１２は、従来のＣＯＢ方式と区別するように、金型によるモールディング一体成形の方式、例えば、感光素子にモールディングする方式にて前記第一回路基板１１に設けられることができる。金型による一体成形の方式にて、成形形状及び表面平坦度を比較的よく制御することができ、例えば、前記延在部１２４に比較的よい平坦度を持たせることで、前記第二カメラモジュールユニット２０に平坦な取付条件を提供すると共に、前記第一カメラモジュールユニット１０と前記第二カメラモジュールユニット２０との光軸の一致性を確保するのに寄与することができる。ところで、前記光軸が一致するということは、２つのカメラモジュールユニットの中心光軸方向が平行すること、又は両中心光軸間の夾角が所定の誤差範囲内にあることをいい、本発明はその面に制限されない。
【０１９０】
より具体的には、前記延在部１２４は支持面１２４１を有し、前記支持面１２４１は前記第一カメラモジュールユニット１０から遠ざかる方向へ延在することで、前記第一カメラモジュールユニット１０を前記第二カメラモジュールユニット１０に隣接して配列する。前記カメラモジュールユニットの光軸方向を高さ方向とし、前記延在部１２４の高さを前記第一回路基板１１よりも高くすることで、前記第一ベース１２と第一回路基板１１との間に前記高度差空間１１０を形成している。つまり、前記延在部１２４と前記第一回路基板１１との間に高度差が存在することで、前記延在部１２４に取り付けられた前記第二カメラモジュールユニット２０と前記第一カメラモジュールユニット１０との間に高度差を存在させ、従って、前記第一カメラモジュールユニット１０と前記第二カメラモジュールユニット２０との間の高度差Ｈと、前記延在部１２４と前記第一回路基板１１との間の高度差と前記第二回路基板２１の厚さとの合計とが一致すると、前記第一カメラモジュールユニット１０及びと前記第二カメラモジュールユニット２０の端部の高さを一致に保持することができ、即ち、前記アレイカメラモジュール１００ユニットの外端が平坦になる。これにより見えるように、前記延在部１２４と前記第一回路基板１１との高度差にて前記第一カメラモジュールユニット１０と前記第二カメラモジュールユニット２０との間に存在している高度差を補償することで、２つの高さの異なるカメラモジュールユニットを安定して組み立てると共に、外端面を一致させるように保持して前記第一カメラモジュールユニット１０と前記第二カメラモジュールユニット２０とを光線入射方向が一致するように並列に設置し、かつ光線入射面を一致させ、これにより、前記第一カメラモジュールユニット１０と前記第二カメラモジュールユニット２０とが互いに協動して画像情報を収集するときに、より正確な情報を取得することができる。
【０１９１】
更に、前記高度差空間１１０は前記アレイカメラモジュール１００の底部に位置し、前記アレイカメラモジュール１００単体は電子デバイスに取り付けられるときに、前記高度差空間１１０は前記電子デバイスの内部に位置することで、前記電子デバイスの外部を相対的に平坦になるように保持しており、前記電子デバイスの部材は前記高度差空間１１０に設けられることができ、これにより、前記電子デバイスの内部空間を十分に利用し、前記電子デバイスの軽薄化の発展に更に寄与することができる。
【０１９２】
更に、前記延在部１２４の支持面１２４１を金型による一体成形の方式にて形成することで、比較的よい平坦性を確保すると共に、金型により前記延在部１２４及び前記第一回路基板１１の方向を一致させるように制御することができ、例えば、前記延在部１２４の方向を前記第一回路基板１１の方向に平行することで、前記第一回路基板１１及び前記第二回路基板２１の方向を一致させて前記第一カメラモジュールユニット１０と前記第二カメラモジュールユニット２０とに一致の取付基礎を提供し、前記第一カメラモジュールユニット１０と前記第二カメラモジュールユニット２０との光軸を一致させる。
【０１９３】
更に、本発明のこの実施例によれば、前記第一回路基板１１は第一回路基板本体１１１と少なくとも１つの第一電子素子１１２とを備え、前記第一電子素子１１２は前記第一回路基板本体１１１よりも突出し、前記第一回路基板本体１１１の作動と協動するためのものである。前記第一ベース１２は前記第一回路基板本体１１１に一体的に成形されると共に、前記第一電子素子１１２を被覆することで、前記第一電子素子１１２の占用空間を低減する。前記第一電子素子２１２として抵抗器、コンデンサ、ドライバ等が挙げられるが、これらに限定されるものではない。勿論、本発明の他の一実施例では、前記第一電子素子１１２を設けなくてもよいし、前記第一電子素子１１２を前記第一回路基板本体１１１よりも突出させ、例えば前記第一回路基板本体１１１に埋め込んでもよく、本発明はその面に制限されない。
【０１９４】
各前記第一電子素子１１２は例えばＳＭＴプロセスにて互いに間隔を空けて前記第一回路基板１１の辺縁域、例えば前記第一感光素子１３の外側に貼り付けることができる。ところで、各前記第一電子素子１１２はそれぞれ前記第一回路基板１１における同じ側又は反対側に位置することができ、例えば、１つの具体的な例では、前記第一感光素子１３及び各前記第一電子素子１１２はそれぞれ前記第一回路基板１１における同じ側に位置すると共に、前記第一感光素子１３は前記第一回路基板１１のチップ貼付域に貼り付けられ、各前記第一電子素子１１２はそれぞれ互いに間隔を空けて前記第一回路基板１１の辺縁域に貼り付けられることができる。前記第一ベース１２は成形した後に各前記第一電子素子１１２を被覆することで、前記第一ベース１２により隣り合う前記第一電子素子１１２を離隔すると共に前記第一電子素子１１２と前記第一感光素子１３とを離隔する。
【０１９５】
本発明の前記カメラモジュールでは、前記第一ベース１２は成形した後に各前記第一電子素子１１２及び前記第一電気接続素子１３３を被覆する方式は多くの利点があり、まず、前記第一ベース１２は各前記第一電子素子１１２及び前記第一電気接続素子１３３を被覆することで、隣り合う前記第一電子素子１１２間及び前記第一電気接続素子１３３間に互いに干渉する不具合が発生せず、隣り合う前記第一電子素子１１２及び前記第一電気接続素子１３３の距離が比較的近くても、前記カメラモジュールユニットの画像形成品質を確保することができ、このようにして、面積の小さい前記第一回路基板１１により多い前記第一電子素子１１２を貼り付けることができることで、前記カメラモジュールユニットの構造をよりコンパクトにし、前記カメラモジュールユニットの寸法を制御するのに寄与したうえで、前記カメラモジュールユニットの画像形成品質を向上する。次に、前記第一ベース１２は各前記第一電子素子１１２及び前記第一電気接続素子１３３を被覆することで、水平方向でも高さ方向でも、前記第一ベース１２と各前記第一電子素子１１２との間、及び前記第一電気接続素子１３３間に安全距離を予め残す必要がなく、前記カメラモジュールユニットの寸法を小さくすることができる。第三、前記第一ベース１２は各前記第一電子素子１１２及び前記第一電気接続素子１３３を被覆することで、前記第一ベース１２と前記第一回路基板１１との間に接着剤を使用して接続とレベリングを行う必要がなく、前記カメラモジュールユニットの高さ寸法を下げるのに寄与する。第四、前記第一ベース１２は各前記第一電子素子１１２及び前記第一電気接続素子１３３を被覆し、後続の搬送過程及び前記カメラモジュールユニットを組み立てて前記アレイカメラモジュール１００を形成する過程において、前記第一ベース１２は前記第一電子素子１１２及び前記第一電気接続素子１３３の揺れ及び脱落を防止することができることで、前記アレイカメラモジュール１００の構造安定性を確保するのに寄与する。第五、前記第一ベース１２２３は各前記第一電子素子１１２及び前記第一電気接続素子１３３を被覆し、後続の搬送過程及び前記カメラモジュールユニットを組み立てて前記アレイカメラモジュール１００を形成する過程において、汚染物の各前記第一電子素子１１２及び前記第一電気接続素子１３３への汚染を防止することができることで、前記アレイカメラモジュール１００の画像形成品質を確保する。第六、前記第一ベース１２は前記電子素子を被覆した後に、前記第一電子素子１１２及び前記第一電気接続素子１３３を空気から遮断することができ、このような方式にて、前記第一電子素子１１２及び前記第一電気接続素子１３３の酸化速度と劣化速度を遅くし、前記第一電子素子１１２、前記第一電気接続素子１３３及び前記アレイカメラモジュール１００の環境安定性を向上するのに寄与することができる。
【０１９６】
ところで、前記第一ベース１２は前記第一回路基板１１に一体的に成形すると共に前記第一回路基板１１の前記第一電子素子１１２及び前記第一電気接続素子１３３を被覆することで、前記第一ベース１２及び前記第一回路基板本体１１１は比較的大きい接続面積を有し、接続をより安定にし、前記延在部１２４により安定した支持を提供すると共に、一体成形の方式は比較的よい構造強度を有するため、前記延在部１２４は前記第二カメラモジュールユニット２０を堅牢、信頼的に支持して固定することができることで、製品の良品率を確保する。
【０１９７】
ところで、前記第二カメラモジュールユニット２０は前記第一ベース１２の前記延在部１２４に取り付けられることで、前記延在部１２４の延在長さ及び前記第二カメラモジュールユニット２０の取付位置により前記第一カメラモジュールユニット１０と前記第二カメラモジュールユニット２０との間の距離を容易に制御し、類型の異なるカメラモジュールユニットの協動要求を容易に満足する。
【０１９８】
本発明のこの実施例によれば、前記第一ベース１２は前記第一感光素子１３に光線通路を提供する第一光窓１２１を有する。言い換えれば、前記第一感光素子１３は前記第一光窓１２１内に位置し、前記第一感光素子１３の感光経路は前記第一光窓１２１と方向が一致する。
【０１９９】
より具体的には、前記第一ベース本体１２３は前記第一感光素子１３に光線通路を提供する前記第一光窓１２１を形成している。一実施例では、前記第一ベース本体１２３は前記第一感光素子１３の形状に適する１つの閉じた環状構造である。
【０２００】
前記第一ベース１２は前記第一光窓１２１に連通する第一取付溝１２２を有する。前記第一カメラモジュールユニット１０は第一フィルタ素子１６を備え、前記第一フィルタ素子１６は、前記第一レンズ群１４を通して前記第一感光素子１３に至る光線をろ過するように前記第一レンズ群１４と前記第一感光素子１３との間に位置している。前記第一フィルタ素子１６は前記第一取付溝１２２に取り付けられている。
【０２０１】
更に、本発明のこの実施例によれば、前記第二カメラモジュールユニット２０は第二ベース２２を備え、前記第二ベース２２は前記第二回路基板２１に固定、接続されている。前記第二ベース２２は第二ベース本体２２３を備えると共に第二光窓２２１を有する。前記第二ベース本体２２３は前記第二感光素子２３に光線通路を提供する前記第二光窓２２１を形成している。言い換えれば、前記第二感光素子２３は前記第二光窓２２１内に位置し、前記第二感光素子２３は前記第二光窓２２１と方向が一致する。一実施例では、前記第二ベース本体２２３は前記第二感光素子２３の形状に適する１つの閉じた環状構造である。
【０２０２】
前記第二ベース２２は前記第二光窓２２１に連通する第二取付溝２２２を有し、前記第二取付溝２２２は前記第二ベース本体２２３に設けられている。前記第二カメラモジュールユニット２０は第二フィルタ素子２６を備え、前記第二フィルタ素子２６は、前記第二レンズ群２４を通して前記第二感光素子２３に至る光線をろ過するように前記第二レンズ群２４と前記第二感光素子２３との間に位置している。前記第二フィルタ素子２６は前記第一取付溝１２２に取り付けられている。
【０２０３】
前記第一フィルタ素子１６及び前記第二フィルタ素子２６は異なる類型として実施されることができ、例えば、前記フィルタ素子は赤外カットフィルタ、全透過スペクトルフィルタ、ブルーガラスフィルタ及び他のフィルタ又は複数のフィルタの組合せとして実施されることができ、例えば、前記フィルタ素子は赤外カットフィルタと全透過スペクトルフィルタとの組合せとして実施されることができ、即ち、前記赤外カットフィルタ及び前記全透過スペクトルフィルタは切り替えられて前記感光素子の感光経路に選択的に位置することができ、例えば、昼間等の光線が比較的十分な環境で前記アレイカメラモジュール１００を使用すると、前記赤外カットフィルタを前記感光素子の感光経路に切り替え、前記赤外カットフィルタを介して前記カメラモジュールユニットに進入して物体で反射される光線のうちの赤外線をろ過する一方、夜間等の光線の比較的暗い環境で前記カメラモジュールユニットを使用すると、前記全透過スペクトルフィルタを前記感光素子の感光経路に切り替え、前記カメラモジュールユニットに進入し受光されて物体で反射される光線のうちの赤外線部分を透過させることを許容する。
【０２０４】
前記第二感光素子２３は感光域２２１と非感光域２２２とを有し、前記感光域２２１は感光作用を果たすものである。本発明のこの実施例では、前記非感光域２２２は前記電気接続素子２３３により前記回路基板２１に電気的に接続されている。更に、前記ベース２２は少なくとも一部が前記感光素子２３の前記非感光域２３２に一体的に成形されている。言い換えれば、前記第一ベース２２は前記第一回路基板２１及び前記第一感光素子２３を一体的に成形してパッケージしている。前記ベース２２は前記電気接続素子２３３を被覆している。
【０２０５】
更に、本発明のこの実施例によれば、前記第二ベース２２は前記第二回路基板２１及び少なくとも一部の前記非感光域２２２に一体的に成形されることで、前記第二ベース２２と、前記第二回路基板２１と、前記第二感光素子２３とを安定して固定すると共に、余分な取付、固定過程を少なくする。例えば、接着剤による接着過程を少なくして、接続をより安定にし、接着剤による接続高さ分を省き、カメラモジュールユニットの高さを下げる。
【０２０６】
前記第二回路基板２１は第二回路基板本体２１１と少なくとも１つの第二電子素子２１２とを備え、前記第二電子素子２１２は前記第二回路基板本体２１１よりも突出し、前記第二回路基板本体２１１の作動と協動するためのものである。前記第二ベース２２は前記第二回路基板本体２１１に一体的に成形すると共に、前記第二電子素子２１２と前記第二電気接続素子２３３を被覆している。前記第二ベース２２の一体成形の方式は前記第一ベース１２と同じであることができ、第一ベース１２と同様な利点があるため、ここには重複する説明を省略する。
【０２０７】
更に、本発明のこの実施例によれば、前記第一カメラモジュールユニット１０は少なくとも１つの第一レンズ群支持素子１５を備え、前記第一レンズ群１４は前記第一レンズ群支持素子１５に取り付けられ、前記第一レンズ群支持素子１５は前記第一ベース１２の前記第一ベース本体１２３に取り付けられることで、前記第一レンズ群１４を前記第一感光素子１３の感光経路に位置させる。
【０２０８】
前記第二カメラモジュールユニット２０は少なくとも１つの第二レンズ群支持素子２５を備え、前記第二レンズ群２４は前記第二レンズ群支持素子２５に取り付けられ、前記第二レンズ群支持素子２５は前記第二ベース本体２２３に取り付けられることで、前記第二レンズ群２４を前記第二感光素子２３の感光経路に位置させる。
【０２０９】
更に、前記第一レンズ群支持素子１５及び前記第二レンズ群支持素子２５は駆動素子又は鏡ホルダー素子として実施されることができることで、オートフォーカスカメラモジュール又はフィックスフォーカスカメラモジュールを形成している。前記駆動素子としてボイスコイルモーター、ピエゾモーター等が挙げられるが、これらに限定されるものではない。例えば、前記第一レンズ群支持素子１５及び前記第二レンズ群支持素子２５は何れも駆動素子として実施されると、前記第一カメラモジュールユニット１０及び前記第二カメラモジュールユニット２０は何れもオートフォーカスカメラモジュールであり、つまり、前記アレイカメラモジュール１００は２つのオートフォーカスカメラモジュールで構成される。前記第一レンズ群１４の支持ユニットは駆動素子として実施され、前記第二レンズ群支持素子２５は鏡ホルダー素子として実施されると、前記第一カメラモジュールユニット１０はオートフォーカスカメラモジュールであり、前記第二カメラモジュールユニット２０はフィックスフォーカスカメラモジュールであり、つまり、前記アレイカメラモジュール１００はオートフォーカスカメラモジュールとフィックスフォーカスカメラモジュールとで構成される。前記第一レンズ群支持素子１５は鏡ホルダー素子として実施され、前記第二レンズ群２４素子は鏡ホルダー素子として実施されると、前記第一カメラモジュールユニット１０はフィックスフォーカスカメラモジュールであり、前記第二カメラモジュールユニット２０はオートフォーカスカメラモジュールである。前記第一レンズ群支持素子１５及び前記第二レンズ群支持素子２５は何れも前記鏡ホルダー素子として実施されると、前記第一カメラモジュールユニット１０及び前記第二カメラモジュールユニット２０は何れもフィックスフォーカスカメラモジュールである。
【０２１０】
ところで、一実施例では、前記第一レンズ群支持素子１５又は前記第二レンズ群支持素子２５は駆動素子として実施されると、前記第一レンズ群支持素子１５及び前記第二レンズ群支持素子２５は前記第一レンズ群１４又は前記第二レンズ群２４を駆動して作動させるように前記第一回路基板１１又は前記第二回路基板２１に電気的に接続されている。例として、前記第一レンズ群支持素子１５及び前記第二レンズ群支持素子２５はピン、ボンディングバッド又はリード線等を設ける方式にて前記第一回路基板１１又は前記第二回路基板２１に電気的に接続されることができる。
【０２１１】
前記第一カメラモジュールユニット１０及び前記第二カメラモジュールユニット２０の類型は、互いに協動してよりよい画像収集効果を実現するように必要に応じて配置されてもよく、本発明はその面に制限されない。
【０２１２】
ところで、前記第一カメラモジュールユニット１０における前記第一レンズ群支持素子１５が前記第一ベース本体１２３の天井面に取り付けられ、前記第一フィルタ素子１６が前記第一ベース本体１２３の前記第一取付溝１２２に取り付けられ、前記第二カメラモジュールユニット２０における前記第二レンズ群支持素子２５が前記第二ベース本体２２３の天井面に取り付けられ、前記第二フィルタ素子２６が前記第二ベース２２の第二取付溝２２２に取り付けられ、前記第一ベース１２及び前記第二ベース２２は何れも一体成形の方式にてそれぞれ前記第一回路基板本体１１１及び前記第二回路基板本体２１１に設けられることで、前記第一ベース本体１２３及び前記第二ベース本体２２３により平坦な取付条件を提供することができ、例えば、前記第一フィルタ素子１６、前記第二フィルタ素子２６、前記第一レンズ群支持素子１５及び前記第二レンズ群支持素子２５等に平坦、一致の取付条件を提供することで、前記第一カメラモジュールユニット１０及び前記第二カメラモジュールユニット２０のそれぞれの組立精度を向上して累積誤差を減少すると共に、前記第一カメラモジュールユニット１０と前記第二カメラモジュールユニット２０との中心光軸の一致性を向上するのに寄与する。
【０２１３】
前記第一回路基板１１、前記第一ベース１２、前記第一感光素子１３、前記第二回路基板２１及び前記第二感光素子２３でアレイ回路基板組立体を構成することで、類型の異なるレンズ群をそれぞれ前記第一ベース１２及び前記第二ベース２２に容易に取り付けて、予め定めた高度差Ｈを有する前記アレイカメラモジュール１００を構成する。言い換えれば、前記アレイカメラモジュール１００は高度差のある少なくとも１つの前記アレイ回路基板組立体と、２つの前記レンズ群とを備え、２つの前記レンズ群はそれぞれ前記アレイ回路基板組立体の２つの感光経路に位置している。
【０２１４】
例として、図２０を参照すると、前記アレイカメラモジュール１００の前記アレイ回路基板組立体の形成過程は次のように行ってもよい。まず、前記第一感光素子１３及び前記第二感光素子２３を前記第一回路基板１１及び前記第二回路基板２１に貼り付けると共に、前記電気接続素子により前記感光素子及び前記回路基板を電気的に接続し、更に、前記第一回路基板１１及び前記第一感光素子１３の少なくとも一部の前記非感光域１３２に一体成形により前記延在部１２４を備えた前記第一ベース１２を形成すると共に、前記第一ベース１２の前記第一ベース本体１２３に前記第一回路基板本体１１１にある前記第一電子素子１１２及び前記第一電気接続素子１３３を被覆させ、その後に、前記第二回路基板２１を前記第一ベース１２の前記延在部１２４に取り付け、更に、前記第二回路基板２１及び前記第二感光素子２３の少なくとも一部の前記非感光域２３２に一体成形により前記第二ベース２２を形成すると共に、前記第二ベース２２に前記第二回路基板２１の前記第二電子素子２１２及び前記第二電気接続素子２３３を被覆させ、前記第一感光素子１３の感光域１３１及び前記第二感光素子２３の感光域２３１を前記第一ベース１２の第一光窓１２１及び前記第二ベース２２の第二光窓２２１に対応させる。勿論、本発明の他の実施の形態では、他の製造順序を有してもよく、当業者は前記アレイ回路基板組立体の形成順序が本発明の制限とならないことを理解するはずである。
【０２１５】
図２１は本発明の第十五好ましい実施例によるアレイカメラモジュール１００の模式図を示す。本発明のこの実施例では、前記第二回路基板２１は前記第一ベース１２の前記延在部１２４に埋設されることで、前記第二回路基板２１と前記延在部１２４との相対高さを下げ、前記第二回路基板２１の取付固定過程を少なくする点で上記実施例とは異なる。前記第二ベース２２は前記第一ベース１２に一体的に接続されている。
【０２１６】
更に、前記第二回路基板本体２１１は前記第二感光素子２３に電気的に接続されるように少なくとも１つの第二電気接続域２１１１を有する。例えば、金線をボンディングする方式にて前記第二電気接続素子２３３を前記第二感光素子２３と前記第二電気接続域２１１１とに電気的に接続することで、前記第二感光素子２３及び前記第二回路基板２１を電気的に接続する。例として、製造過程において、前記感光素子１３、２３を備えた前記回路基板１１、２１をそれぞれ予め定めた位置に設け、その後に一体成形により前記第一ベースと前記第二ベースとを形成すると共に第一ベースの前記延在部に前記第二回路基板の底部を被覆させる。
【０２１７】
前記第二電気接続域２１１１は条状ボンディングバッドとして実施されることが挙げられるが、これに限定されるものではない。この実施の形態では、前記第二感光素子２３は四側のそれぞれに前記第二電気接続素子２３３を設ける方式にて前記第二回路基板に電気的に接続されている。相応的に、前記第二回路基板２１は対向する両側にそれぞれ設けられた４つの前記第二電気接続域２１１１を有する。４つの前記第二電気接続域２１１１は前記延在部１２４の表面に露出している。前記第二感光素子２３は各前記第二電気接続素子２３３を介して各前記第二電気接続域２１１１にそれぞれ電気的に接続されている。
【０２１８】
本発明のある実施の形態では、第二ベース２２は２度目の一体成形により前記第一ベース１に設けられている。つまり、前記アレイ回路基板組立体を製造するときに、まず、前記第一回路基板１１及び前記第二回路基板２１を一体成形により前記第一ベース１２を形成すると共に、前記第二回路基板２１の前記第二電気接続域２１１１を外部に露出させ、その後に、前記第二回路基板２１に前記第二感光素子２３を設けると共に、前記電気接続素子２３３を介して前記第二感光素子２３及び前記回路基板２１の前記第二電気接続域２１１１を電気的に接続し、その後に前記第二回路基板２１に一体成形により前記第二ベース２２を形成している。
【０２１９】
勿論、一実施例では、まず、前記第二感光素子２３を前記第二回路基板２１に設け、その後に、一次成形により前記第一ベース１１及び前記第二ベースを形成すると共に、前記第一ベース１１の前記延在部１２４に前記第二回路基板２１を被覆させてもよい。
【０２２０】
図２２は本発明の第十五好ましい実施例によるアレイカメラモジュール１００の１つの変形実施の形態を示す。前記アレイ回路基板組立体は前記第一回路基板１１と前記第二回路基板２１とを接続している接続板１２８を備える点で図２１の実施の形態とは異なる。より具体的には、前記接続板１２８は前記第一回路基板１１と前記第二回路基板２１とを電気的に接続することで、前記第一回路基板１１及び前記第二回路基板２１は情報を取り合う。前記第一回路基板１１及び前記第二回路基板２１は電気的に接続されるときに、前記第一回路基板及び前記第二回路基板２１は１つの出力端を共用することができる。前記接続板１２８として軟質板が挙げられるが、これに限定されるものではない。
【０２２１】
図２３は本発明の第十六好ましい実施例によるアレイカメラモジュール１００を示す。前記第一ベース１２は少なくとも一部が前記第一ベース本体１２３から上方へ延在して前記第一レンズ群１４又は前記第一レンズ群支持素子１５を位置規制して取り付けるための第一位置規制溝１２６を形成する第一延在取付部１２５を備え、前記第二ベース２２は少なくとも一部が前記第二ベース本体２２３から上方へ延在して前記第二レンズ群２４又は前記第二レンズ群支持素子２５を位置規制して取り付るための第二位置規制溝２２６を形成する第二延在取付部２２５を備える点で上記実施例とは異なる。
【０２２２】
本発明のこの実施例では、前記第一レンズ群１４は前記第一位置規制溝１２６に取り付けられている。つまり、前記第一延在取付部１２５の形状は前記第一レンズ群１４に対応することで、前記第一レンズ群１４を位置規制して取り付けるのに適し、フィックスフォーカスカメラモジュールを形成している。前記第二レンズ群２４は前記第二位置規制溝２２６に取り付けられている。つまり、前記第二延在取付部２２５の形状は前記第二レンズ群２４に対応することで、前記第二レンズ群２４を位置規制して取り付けるのに適して、フィックスフォーカスカメラモジュールを形成している。つまり、前記アレイカメラモジュール１００の２つの前記アレイカメラモジュール１００ユニットは何れもフィックスフォーカスカメラモジュールである。
【０２２３】
本発明の他の一実施例では、前記第一レンズ群支持素子１５は前記第一位置規制溝１２６に取り付けられ、前記第一レンズ群１４は前記第一レンズ群支持素子１５に取り付けられ、前記第一レンズ群支持素子１５は駆動素子として実施されることで、前記第一カメラモジュールユニット１０はオートフォーカスカメラモジュールを形成している。前記第二レンズ群支持素子２５は前記第二位置規制溝２２６に取り付けられ、前記第二レンズ群２４は前記第二レンズ群支持素子２５に取り付けられ、前記第二レンズ群支持素子２５は駆動素子として実施されることで、前記第二カメラモジュールユニット２０はオートフォーカスカメラモジュールを形成している。つまり、前記アレイカメラモジュール１００の２つの前記カメラモジュールユニットは何れもオートフォーカスカメラモジュールである。
勿論、本発明の他の実施例では、オートフォーカス及びフィックスフォーカスとの２種類の方式の組合せであってもよく、本発明はその面に制限されない。
【０２２４】
図２４は本発明の第十七好ましい実施例によるアレイカメラモジュール１００を示す。本発明のこの実施の形態では、前記第一カメラモジュールユニット１０は、他の部材、例えば、前記第一フィルタ素子１６、前記第一レンズ群１４又は前記第一レンズ群支持素子１５を取り付けるための第一台座１８を備える。
【０２２５】
本発明のこの実施例の図面では、前記第一台座１８は前記第一ベース本体１２３に取り付けられ、前記第一フィルタ素子１６は前記第一台座１８に取り付けられている。特に、前記第一台座１８は前記第一ベース１２の前記第一光窓１２１内に沈下することで、前記第一フィルタ素子１６の位置を沈下させ、前記第一感光素子１３に近づけ、前記第一カメラモジュールユニット１０のバックフォーカスを低減すると共に、前記第一フィルタ素子１６の必要面積を低減する。
【０２２６】
前記第二台座２８は前記第二ベース本体２２３に取り付けられ、前記第二フィルタ素子２６は前記第二台座２８に取り付けられている。特に、前記第二台座２８は前記第二ベース２２の前記第二光窓２２１内に沈下することで、前記第二フィルタ素子２６の位置を沈下させ、前記第二感光素子２３に近づけ、前記第二カメラモジュールユニット２０のバックフォーカスを低減すると共に、前記第二フィルタ素子２６の必要面積を低減する。勿論、本発明の他の実施例では、前記アレイカメラモジュール１００は１つの前記台座、例えば前記第一台座１８又は前記第二台座２８のみを備えてもよく、当業者は前記台座の数が本発明の制限とならないことを理解するはずである。
【０２２７】
この実施例では、前記第一台座１８は前記第一ベース１２の前記第一取付溝１２２に取り付けられ、前記第二台座２８は前記第二ベース２２の前記第二取付溝２２２に取り付けられている。本発明の他の実施例では、前記第一ベース本体１２３及び前記第二ベース本体２２３は、沈下しない前記第一台座１８及び前記第二台座２８に直接取り付けられるプラットフォーム状の構造であってもよく、当業者は前記台座の取付位置及び具体的な構造が本発明の制限とならないことを理解するはずである。
【０２２８】
図２５は本発明の第十八好ましい実施例によるアレイカメラモジュール１００の模式図を示す。前記第一カメラモジュールユニット１０は第一補充ベース１９を備え、前記第一補充ベース１９は前記第一ベース本体１２３に補充されて取り付けられ、前記第一ベース本体１２３と協動して前記第一光窓１２１を形成している。つまり、このような実施の形態では、前記第一ベース本体１２３は１つの閉じた環状構造ではなく、前記第一補充ベース１９により補充してから形成された閉じた環状構造である。言い換えれば、前記第一ベース本体１２３は外部に連通する少なくとも１つの第一切欠き１２３１を備え、前記第一補充ベース１９は少なくとも一部が前記第一切欠き１２３１に補充される。前記第一切欠き１２３１は前記第一補充ベース１９の位置を位置規制することで、前記補充ベースは正確かつ速めに取り付けられることができる。前記第一切欠き１２３１及び前記第一補充ベース１９の形状は必要に応じて設置してもよく、例えば、逆台形構造、三角形構造、方形構造等にしてもよく、本発明はその面に制限されない。
【０２２９】
前記第二カメラモジュールユニット２０は第二補充ベース２９を備え、前記第二補充ベース２９は前記第二ベース本体２２３に補充されて取り付けられ、前記第二ベース本体２２３と協動して前記第二光窓２２１を形成している。つまり、このような実施の形態では、前記第二ベース本体２２３は１つの閉じた環状構造ではなく、前記第二補充ベース２９により補充してから形成された１つの閉じた環状構造である。言い換えれば、前記第二ベース本体２２３は外部に連通する少なくとも１つの第二切欠き２２３１を備え、前記第二補充ベース２９は少なくとも一部が前記第二切欠き２２３１に補充される。前記第二切欠き２２３１は前記第二補充台座１８の位置を位置規制することで、前記補充ベースは正確かつ速めに取り付けられることができる。前記第二切欠き２２３１及び前記第二補充ベース２９の形状は必要に応じて設置してもよく、例えば、逆台形構造、三角形構造、方形構造等にしてもよく、本発明はその面に制限されない。
【０２３０】
勿論、本発明の他の実施の形態では、前記アレイカメラモジュール１００は前記補充ベース、例えば、前記第一補充ベース１９又は前記第二補充ベース２９を備えてもよく、当業者は前記補充ベースの形状及び数が本発明の制限とならないことを理解するはずである。
【０２３１】
図２６は本発明の第十九好ましい実施例によるアレイカメラモジュール１００の模式図を示す。この実施例では、前記第二回路基板本体２１１は第二沈下孔２１１２を有し、前記第二感光素子２３は沈下して前記第二沈下孔２１１２内に設けられることで、前記第二感光素子２３と前記第二回路基板本体２１１との相対高さを下げる。
【０２３２】
前記第二沈下孔２１１２は前記第二回路基板２１の両側に連通し、前記第二感光素子２３が前記第二沈下孔２１１２に沈下すると、前記第二感光素子２３の底部は前記第一ベース１２の前記延在部１２４により支持される。つまり、前記延在部１２４は前記第二感光素子２３に取付平面を提供する。前記第一ベース１２は一体成形の方式にて前記第一回路基板１１に形成されることで、前記延在部１２４及び前記第一回路基板１１を比較的よい一致性を有するように延在させ、前記第二感光素子２３及び前記第一回路基板１１に比較的よい一致性を持たせ、前記第一カメラモジュールユニット１０と前記第二カメラモジュールユニット２０とに比較的よい光軸の一致性を持たせる。
【０２３３】
図２７は本発明の第二十好ましい実施例によるアレイカメラモジュール１００の模式図を示す。このような実施例では、前記第二ベース本体２２３は前記第二ベース本体２２３に一体的に接続され、前記第一ベース本体１２３は前記第一回路基板１１に固定、接続され、前記第二ベース本体２２３は前記第二回路基板２１に固定、接続されることで、前記第一カメラモジュールユニット１０と前記第二カメラモジュールユニット２０とを安定して接続する。
【０２３４】
つまり、このような方式では、前記第一ベース１２は前記延在部１２４を形成せずに、前記第二ベース本体２２３及び前記第一ベース本体１２３を一体的に接続する方式にて前記第一カメラモジュールユニット１０と前記第二カメラモジュールユニット２０を固定、接続する。前記第一ベース１２と前記第二ベース２２との間に高度差を有する。
【０２３５】
例として、製造過程において、前記第一回路基板１１及び前記第二回路基板２１を予め定めた高度差を有するように予め定めた位置に設け、更に、前記第一回路基板１１及び前記第二回路基板２１における予め定めた位置に前記第一ベース本体１２３及び前記第二ベース本体２２３をそれぞれ形成することで、前記第一回路基板１１及び前記第二回路基板２１の相対位置を高度差を有するように決める。更に、前記第一回路基板１１及び前記第二回路基板２１に前記第一感光素子１３及び前記第二感光素子２３を取り付ける。勿論、本発明の他の実施の形態では、他の順序で製造する方式であってもよく、本発明はその面に制限されない。
【０２３６】
図２８は本発明の第二十一好ましい実施例によるアレイカメラモジュール１００の模式図を示す。前記アレイカメラモジュール１００は支持板１２９を備え、前記支持板１２９は前記第一ベース本体１２３に固定、接続され、前記第二回路基板２１は前記支持板１２９に取り付けられている。
更に、支持板１２９は貫通孔１２９０を有し、前記貫通孔１２９０は前記第一感光素子１３に光線通路を提供するように前記第一光窓１２１に対応する。
【０２３７】
言い換えれば、このような方式では、前記第一ベース１２は前記延在部１２４を形成せず、前記支持板１２９により前記第一カメラモジュールユニット１０及び前記第二カメラモジュールユニット２０を固定、接続されると共に、前記第一カメラモジュールユニット１０及び前記第二カメラモジュールユニット２０の底部の間に高度差を持たせ、外端部を一致させる。前記支持板１２９として鋼板が挙げられるが、これに限定されるものではない。
【０２３８】
図２９は本発明の第二十二好ましい実施例によるアレイカメラモジュール１００の模式図を示す。このような実施の形態では、前記第一ベース１２の前記延在部１２４は下方へ広がることで、前記延在部１２４の底部及び前記第一回路基板１１の底部を一致させる。つまり、前記アレイカメラモジュール１００は全体的に外端部及び底部が何れも一致することで、一定的であり、かつ相対的に規則、平坦な構造を形成し、電子デバイスへの取付を容易にする。
【０２３９】
図３０は本発明の第二十三好ましい実施例によるアレイカメラモジュール１００の模式図を示す。このような実施の形態では、前記第一ベース１２は製造過程において金型を支持して前記第一回路基板１１又は前記第一感光素子１３への損傷を防止するための第一支持素子１２７を備える。つまり、製造過程において、前記製造金型を前記第一支持素子１２７に当接させることで、金型を前記第一回路基板１１又は前記第一感光素子１３に直接接触させないようにすると共に、成形材料の内側への溢れを防止する。
【０２４０】
更に、前記第一支持素子１２７は前記第一ベース本体１２３の形状に一致する環状構造であることができる。前記第一支持素子１２７は弾性を有し、接着剤塗布層又はゴムパッドが挙げられるが、これらに限定されるものではない。
【０２４１】
更に、前記第一ベース本体１２３の側壁は傾斜角を有することで、金型による製造、例えば、型抜き過程を便利にすると共に前記第一ベース本体１２３の底部にバリが生じる現象を減少する。
【０２４２】
前記第二ベース２２は製造過程において金型を支持して前記第二回路基板２１又は前記第二感光素子２３への損傷を防止するための第二支持素子２２７を備える。つまり、製造過程において、前記製造金型を前記第二支持素子２２７に当接させることで、金型を前記第一回路基板１１又は前記第二感光素子２３に直接接触させないようにすると共に、成形材料の内側への溢れを防止する。
【０２４３】
更に、前記第二支持素子２２７は前記第二ベース本体２２３の形状に一致する環状構造であることができる。前記第二支持素子２２７は弾性を有し、接着剤塗布層又はゴムパッドが挙げられるが、これらに限定されるものではない。
【０２４４】
更に、前記第二ベース本体２２３の側壁は傾斜角を有することで、金型による製造、例えば、型抜き過程を便利にすると共に、前記第二ベース本体２２３の底部にバリが生じる現象を減少する。
【０２４５】
図３１は本発明の第二十四好ましい実施例によるアレイカメラモジュール１００の模式図である。本発明のこのような実施の形態では、前記第一フィルタ素子１６は前記第一ベース本体１２３に固定、接続されている。具体的には、前記第一フィルタ素子１６は一体成形の方式にて前記第一ベース本体１２３に固定、接続されている。
更に、前記第一フィルタ素子１６は前記第一支持素子１２７に支持されることで、一体成形して固定、接続されることが容易になる。
【０２４６】
前記第二フィルタ素子２６は前記第二ベース本体２２３に固定、接続されている。具体的には、前記第二フィルタ素子２６は一体成形の方式にて前記第二ベース本体２２３に固定、接続されている。
更に、前記第二フィルタ素子２６は前記第二支持素子２２７に支持されることで、一体成形して固定、接続されることが容易になる。
例として、前記フィルタ素子１６、２６はモールディング成形の方式にて各前記ベース本体１２３、２２３に一体的に成形されて接続されてもよい。
【０２４７】
例として、前記アレイカメラモジュール１００の前記アレイ回路基板組立体の形成過程は次のように行ってもよいが、これに限定されるものではない。即ち、まず、前記第一回路基板１１と前記第二回路基板２１に前記第一支持素子１２７と前記第二支持素子２２７をそれぞれ設け、その後に、前記第一フィルタ素子１６を前記第一支持素子１２７に設け、その後に、前記第一フィルタ素子１６の上方に一体成形により前記第一ベース１２を形成することで、前記第一フィルタ素子１６を一体的に成形して固定し、更に前記第二回路基板２１を前記第一ベース１２の前記延在部１２４に設け、更に、前記第二支持素子２２７に前記第二フィルタ素子２６を設け、前記第二フィルタ素子２６の上方に一体成形により前記第二ベース本体２２３を形成することで、前記第二フィルタ素子２６を一体的に成形して固定する。
【０２４８】
図３２は本発明の第二十五好ましい実施例によるアレイカメラモジュール１００の模式図である。本発明のこの実施例では、前記第一カメラモジュールユニット１０と前記第二カメラモジュールユニット２０のそれぞれは少なくとも１つの支持素子１２７、２２７と少なくとも１つのレンズ１７、２７とを備え、各前記レンズ１７、２７はそれぞれ前記第一ベース本体１２３及び前記第二ベース本体２２３に設けられている。具体的には、前記レンズ１７、２７は前記第一ベース本体１２３及び前記第二ベース本体２２３に一体的に成形して固定され、それぞれ前記第一感光素子１３及び前記第二感光素子２３の感光経路に位置している。
【０２４９】
物体で反射される光線は前記レンズ群１４、２４及び前記レンズ１７、２７から前記カメラモジュールユニットの内部に進入し、後続で前記第一感光素子１３及び前記第二感光素子２３で受光して光電変換されることで、物体に関連付けられる映像を得る。前記レンズ１７、２７を設けることで光学上のＴＴＬ(レンズ群の光透過孔の上面にあるレンズ群平面からチップの感光面までの距離)を小さくすることができ、これにより、光学性能に影響を及ぼすことなく、前記カメラモジュールユニットの寸法を更に小さくし、寸法の小さいアレイカメラモジュール１００が搭載される電子デバイスの要求を満足することができる。同時に、前記レンズ１７、２７を設けることで、汚れに対する感度を低下させることができる。例えば、一実施例では、汚れに対する感度を５０％低下させることができる。
【０２５０】
本発明のこの好ましい実施例では、前記レンズ１７、２７は熱硬化性質のレンズとして実施されることが好ましく、即ち、前記レンズ１７、２７は熱硬化レンズとして実施されることで、前記レンズ１７、２７はモールディングプロセスを行うときにモールディングプロセス中の環境温度に耐えることができる。例えば、１つの実施例のモールディングプロセス中に１７５℃のモールディング環境温度に耐えることができる。つまり、モールディングプロセスの前に、耐高温でかつ熱硬化処理された前記レンズ１７は前記支持素子１２７に接続されると共に、前記第一回路基板１１と共に金型に置かれ、流体となる固化モールディング材料は前記支持素子１２７及び前記レンズ１７の外表面を囲んでモールディングされて前記第一ベース１２を一体的に成形することで、前記第一ベース１２は前記第一回路基板１１に一体に成形されることができ、つまり、前記第一ベース１２と、前記第一回路基板１１と、前記レンズ１７は一体構造として形成される。当業者は本発明の前記レンズ１７、２７が熱硬化レンズ１７、２７だけでなく、他の性質のレンズ１７、２７であってもよく、本発明がここに限定されるものではないことを理解するはずである。類似的に、他の１つの前記レンズ２７と、前記第二ベース２２と、前記第二回路基板２１を一体的に成形して一体構造とすることができる。
【０２５１】
更に、前記レンズ１７、２７はレンズ本体１７１、２７１と前記レンズ本体１７１、２７１の周囲に設けられるレンズ周縁１７２、２７２とを備える。前記レンズ１７、２７は精密光学素子であるため、前記レンズ本体１７１、２７１の辺縁は比較的薄い。前記レンズ本体１７１、２７１の辺縁に設けられると共に一体的に接続される前記レンズ周縁１７２、２７２は肉厚式ブラケットの設計であり、前記レンズ本体１７１、２７１を支えることができ、これにより、前記レンズ本体１７１、２７１の光学性能に影響を及ぼさないと共に、前記レンズ本体１７１、２７１を金型において前記ベースに一体的にモールディングして接続することができる。つまり、前記ベースが成形される前に、前記レンズ１７、２７の前記レンズ周縁１７２、２７２は前記感光素子の前記非感光領域に設けられ、前記レンズ１７、２７の前記レンズ本体１７１、２７１は前記感光素子の感光経路に設けられ、前記ベースが成形された後に、前記モールディングベースは前記回路基板と、前記感光素子と、前記支持素子の一部と、前記レンズ１７、２７の前記レンズ周縁１７２、２７２を被覆している。
【０２５２】
ところで、前記支持素子及び前記レンズ１７、２７は前記アレイカメラモジュール１００の製品良品率を効率的に向上すると共に前記アレイカメラモジュール１００の画像形成品質を改善することができる。更に、前記支持素子１２７、２２７は枠状の支持本体を備えると共に貫通孔を有し、前記支持本体は前記感光素子の感光域が前記支持素子の前記貫通孔及び前記レンズ１７、２７の前記レンズ本体１７１、２７１に対応するように前記回路基板に設けられことで、モールディングプロセスを行うときに、前記支持本体及び前記レンズ１７、２７は前記感光素子を保護することができるようにする。
【０２５３】
このような実施例では、前記第一感光素子１３及び前記第一、第二感光素子２３は一体的に成形されてパッケージされないので、前記第一ベース１２及び前記第二ベース２２を一体的に成形する前に、前記第一感光素子１３及び前記第二感光素子２３をそれぞれ前記第一回路基板１１及び前記第二回路基板２１に設ける必要がある。
【０２５４】
図３３は本発明の第二十六好ましい実施例によるアレイカメラモジュール１００の模式図である。前記アレイカメラモジュール１００は３つのカメラモジュールユニットを備え、それぞれは第一カメラモジュールユニット１０と、第二カメラモジュールユニット２０と、第三カメラモジュールユニット３０である。前記第一カメラモジュールユニット１０と前記第二カメラモジュールユニット２０及び前記第三カメラモジュールユニット３０との間に高度差Ｈを有し、かつ前記第一カメラモジュールユニット１０と、前記第二カメラモジュールユニット２０と、前記第三カメラモジュールユニット３０との外端部が一致する。前記第一カメラモジュールユニット１０と前記カメラモジュールユニットとの高さが一致する。
【０２５５】
具体的には、前記第一ベース１２は延在部１２４を備え、前記第一カメラモジュールユニット１０及び前記第二カメラモジュールユニット２０はそれぞれ前記延在部１２４に設けられることで、前記第一カメラモジュールユニット１０と、前記第二カメラモジュールユニット２０と、前記第三カメラモジュールユニットを構造がコンパクトになるように安定して接続する。
【０２５６】
つまり、前記延在部１２４は前記第一回路基板１１及び前記第二回路基板２１に同時に取付平面を提供する。特に、本発明のこの実施例では、前記第二カメラモジュールユニット２０の前記第二ベース２２は前記第三カメラモジュールユニット３０の前記第三ベース３２に一体的に接続されることで、前記第二カメラモジュールユニット２０及び前記第三カメラモジュールユニット３０の光軸の一致性を確保する。
【０２５７】
当業者は、上記実施例の具体的な特徴は例示だけであり、限定されるものではなく、上記各実施例の各特徴を必要に応じて互いに組み合わせることで新たな実施の形態を形成することができ、本発明の特徴は１つの実施例に限定されるものではないことを理解するはずである。
【０２５８】
図３４Ａ、３４Ｂは本発明の上記実施例によるアレイカメラモジュールの２つの斜視模式図を示し、異なる外部接続方式をそれぞれ説明するためのものである。図３４Ａを参照すると、前記アレイカメラモジュールは、前記アレイカメラモジュールで収集した情報を前記電子デバイスに送信するように電子デバイスに電気的に接続するための外部接続端３０を備える。前記外部接続端３０は軟質コネクタであることができる。つまり、本発明のこの実施例では、前記第一カメラモジュールユニット１０及び前記第二カメラモジュールユニット２０は同じ前記外部接続端３０を有し、前記第一回路基板１１及び前記第二回路基板２１は前記外部接続端３０に電気的に接続されている。
【０２５９】
図３４Ｂを参照すると、前記アレイカメラモジュールは、前記アレイカメラモジュールで収集した情報を前記電子デバイスに送信するように電子デバイスに電気的にそれぞれ接続するための２つの外部接続端３０を有する。前記外部接続端３０は軟質コネクタであることができる。つまり、本発明のこの実施例では、前記第一カメラモジュールユニット１０及び前記第二カメラモジュールユニット２０のそれぞれは前記外部接続端３０を備え、前記第一回路基板１１及び前記第二回路基板２１は対応する前記外部接続端３０にそれぞれ電気的に接続されている。
図３５を参照すると、本発明の上記好ましい実施例によれば、本発明は高度差のあるアレイ回路基板組立体の製造方法１０００を提供し、前記方法は、
第一回路基板１１に、延在部１２４を備えた第一ベース１２を形成するステップ１００１と、
第二回路基板２１を前記延在部１２４に設けるステップ１００２と、
前記第二回路基板２１に第二ベース２２を形成するステップ１００３と、
前記第一回路基板１１及び前記第二回路基板に第一感光素子１３及び第二感光素子２３をそれぞれ設けるステップ１００４とを備える。
【０２６０】
前記ステップ１００１及び前記ステップ１００３における形成方式は一体成形の方式、例えばモールディング成形の方式であることができる。前記延在部１２４と前記第一回路基板１１との間に高度差を有する。
【０２６１】
前記ステップ１００１において前記延在部の延在方向は前記第二回路基板２１に前記第一回路基板１１と一致する取付条件を提供するように前記第一回路基板と一致する。
【０２６２】
ある実施の形態では、前記ステップ１００１及び前記ステップ１００２は同時に行われることができ、これによって、前記第二回路基板２１を前記延在部１２４に埋設する。
【０２６３】
ある実施の形態では、前記ステップ１００４は前記ステップ１００１の前に行われることができ、例えば、まず、前記第一ベースを前記第一回路基板１１及び前記感光素子１３の少なくとも一部の前記非感光域１３２に一体的にパッケージするように前記第一感光素子１３を設けることができる。
【０２６４】
更に、前記アレイ回路基板組立体に前記第一レンズ群、前記第二レンズ群及び前記第一フィルタ素子、前記第二フィルタ素子等の部材をそれぞれ取り付けて、組立てにより前記アレイカメラモジュールを取得する。
【０２６５】
図３６は発明の上記好ましい実施例によるアレイカメラモジュールの応用の模式図を示す。本発明は電子デバイス３００を更に提供し、前記電子デバイスは電子デバイス本体２００と少なくとも１つのアレイカメラモジュール１００とを備え、各前記アレイカメラモジュールは、画像を取得するように前記電子デバイス本体２００にそれぞれ設けられている。ところで、前記電子デバイス本体２００の類型は限制されるものではなく、例えば、前記電子デバイス本体２００はスマートフォン、ウェアラブルデバイス、タブレット、ノートパソコン、電子ブック、携帯情報端末、カメラ、モニター等の前記カメラモジュールを配置可能な如何なる電子デバイスであってもよい。当業者は、図３６において前記電子デバイス本体２００はスマートフォンとして実施されることを例にするが、本発明の内容及び範囲への規制になるものではないことを理解するはずである。前記アレイカメラモジュールは端部が一致することで、前記電子デバイスの外表面を平坦にする。
【０２６６】
当業者は、上記説明及び図面に示される本発明の実施例が例として挙げられるが、本発明の制限とならないことを理解するはずである。本発明の目的はすでに完全且つ有効的に実現された。本発明の機能及び構造の原理はすでに実施例で示されて説明され、前記の原理を逸脱しない限りに、本発明の実施形態は如何に変更又は補正されてもよい。
【図１】
0006968884.tif 000002
【図２】
0006968884.tif 000003
【図３】
0006968884.tif 000004
【図４】
0006968884.tif 000005
【図５】
0006968884.tif 000006
【図６】
0006968884.tif 000007
【図７】
0006968884.tif 000008
【図８Ａ】
0006968884.tif 000009
【図８Ｂ】
0006968884.tif 000010
【図８Ｃ】
0006968884.tif 000011
【図９】
0006968884.tif 000012
【図１０】
0006968884.tif 000013
【図１１Ａ】
0006968884.tif 000014
【図１１Ｂ】
0006968884.tif 000015
【図１２】
0006968884.tif 000016
【図１３】
0006968884.tif 000017
【図１４】
0006968884.tif 000018
【図１５】
0006968884.tif 000019
【図１６】
0006968884.tif 000020
【図１７】
0006968884.tif 000021
【図１８Ａ】
0006968884.tif 000022
【図１８Ｂ】
0006968884.tif 000023
【図１９】
0006968884.tif 000024
【図２０】
0006968884.tif 000025
【図２１】
0006968884.tif 000026
【図２２】
0006968884.tif 000027
【図２３】
0006968884.tif 000028
【図２４】
0006968884.tif 000029
【図２５】
0006968884.tif 000030
【図２６】
0006968884.tif 000031
【図２７】
0006968884.tif 000032
【図２８】
0006968884.tif 000033
【図２９】
0006968884.tif 000034
【図３０】
0006968884.tif 000035
【図３１】
0006968884.tif 000036
【図３２】
0006968884.tif 000037
【図３３】
0006968884.tif 000038
【図３４】
0006968884.tif 000039
【図３５】
0006968884.tif 000040
【図３６】
0006968884.tif 000041